(57)【特許請求の範囲】
【請求項１】
第１乃至第３のデータ系列を、ディスク形状の記録媒体に記録する制御を行う記録制御装置において、
画像とその画像に付随する音声とのデータ系列である前記第１のデータ系列から、前記画像とその画像に付随する音声とのデータ量を少なくした画像と音声とのデータ系列である前記第２のデータ系列を生成する生成手段と、
前記第１のデータ系列から、第１の再生時間分の再生に必要なデータ量に基づくデータ量である第１のデータ量のデータを抽出する第１のデータ抽出手段と、
前記第２のデータ系列から、第１の再生時間より長い第２の再生時間分の再生に必要なデータ量に基づくデータ量である第２のデータ量のデータを抽出する第２のデータ抽出手段と、
前記画像とその画像に付随する音声とについてのメタデータのデータ系列である前記第３のデータ系列から、第３の再生時間分の再生に必要なデータ量に基づくデータ量である第３のデータ量のデータを抽出する第３のデータ抽出手段と、
前記第１のデータ系列についての前記第１のデータ量ごとのデータを前記第２の再生時間に対応するようにまとめて一連のデータとし、この一連のデータと、前記第２のデータ系列についての前記第２のデータ量ごとのデータと、前記第３のデータ系列についての前記第３のデータ量ごとのデータとが、前記記録媒体の径方向に、周期的に配置されるように、前記記録媒体にデータを記録する記録制御を行う記録制御手段と
を備えることを特徴とする記録制御装置。
【請求項２】
前記第１のデータ量は、前記記録媒体の物理的単位領域の整数倍のデータ量であり、かつ前記第１の再生時間分の再生に必要なデータ量以下のデータ量であり、
前記第２のデータ量は、前記記録媒体の物理的単位領域の整数倍のデータ量であり、かつ前記第２の再生時間分の再生に必要なデータ量以下のデータ量である
ことを特徴とする請求項１に記載の記録制御装置。
【請求項３】
前記物理的単位領域は、前記記録媒体について、データの読み書きを行うことができる最小の領域、またはECC(Error Correction Code：誤り訂正符号)処理が施されるECCブロックが記録される領域である
ことを特徴とする請求項２に記載の記録制御装置。
【請求項４】
前記記録制御手段は、前記第１のデータ系列についての前記第１のデータ量ごとのデータと、前記第２のデータ系列についての前記第２のデータ量ごとのデータとを、それぞれのデータの境界と、前記記録媒体の物理的単位領域の境界とが一致するように、前記記録媒体に記録させる
ことを特徴とする請求項１に記載の記録制御装置。
【請求項５】
前記物理的単位領域は、前記記録媒体について、データの読み書きを行うことができる最小の領域、またはECC(Error Correction Code：誤り訂正符号)処理が施されるECCブロックが記録される領域である
ことを特徴とする請求項４に記載の記録制御装置。
【請求項６】
第１乃至第３のデータ系列を、ディスク形状の記録媒体に記録する制御を行う記録制御方法において、
画像とその画像に付随する音声とのデータ系列である前記第１のデータ系列から、前記画像とその画像に付随する音声とのデータ量を少なくした画像と音声とのデータ系列である前記第２のデータ系列を生成する生成ステップと、
前記第１のデータ系列から、第１の再生時間分の再生に必要なデータ量に基づくデータ量である第１のデータ量のデータを抽出する第１のデータ抽出ステップと、
前記第２のデータ系列から、第１の再生時間より長い第２の再生時間分の再生に必要なデータ量に基づくデータ量である第２のデータ量のデータを抽出する第２のデータ抽出ステップと、
前記画像とその画像に付随する音声とについてのメタデータのデータ系列である前記第３のデータ系列から、第３の再生時間分の再生に必要なデータ量に基づくデータ量である第３のデータ量のデータを抽出する第３のデータ抽出ステップと、
前記第１のデータ系列についての前記第１のデータ量ごとのデータを前記第２の再生時間に対応するようにまとめて一連のデータとし、この一連のデータと、前記第２のデータ系列についての前記第２のデータ量ごとのデータと、前記第３のデータ系列についての前記第３のデータ量ごとのデータとが、前記記録媒体の径方向に、周期的に配置されるように、前記記録媒体にデータを記録する記録制御を行う記録制御ステップと
を備えることを特徴とする記録制御方法。
【請求項７】
第１乃至第３のデータ系列を、ディスク形状の記録媒体に記録する制御を行う記録制御を、コンピュータに行わせるプログラムにおいて、
画像とその画像に付随する音声とのデータ系列である前記第１のデータ系列から、前記画像とその画像に付随する音声とのデータ量を少なくした画像と音声とのデータ系列である前記第２のデータ系列を生成する生成ステップと、
前記第１のデータ系列から、第１の再生時間分の再生に必要なデータ量に基づくデータ量である第１のデータ量のデータを抽出する第１のデータ抽出ステップと、
前記第２のデータ系列から、第１の再生時間より長い第２の再生時間分の再生に必要なデータ量に基づくデータ量である第２のデータ量のデータを抽出する第２のデータ抽出ステップと、
前記画像とその画像に付随する音声とについてのメタデータのデータ系列である前記第３のデータ系列から、第３の再生時間分の再生に必要なデータ量に基づくデータ量である第３のデータ量のデータを抽出する第３のデータ抽出ステップと、
前記第１のデータ系列についての前記第１のデータ量ごとのデータを前記第２の再生時間に対応するようにまとめて一連のデータとし、この一連のデータと、前記第２のデータ系列についての前記第２のデータ量ごとのデータと、前記第３のデータ系列についての前記第３のデータ量ごとのデータとが、前記記録媒体の径方向に、周期的に配置されるように、前記記録媒体にデータを記録する記録制御を行う記録制御ステップと
を備える
ことを特徴とするプログラム。
【請求項８】
第１乃至第３のデータ系列が記録されているディスク形状の記録媒体において、
画像とその画像に付随する音声とのデータ系列である前記第１のデータ系列から抽出された、第１の再生時間分の再生に必要なデータ量に基づくデータ量である第１のデータ量ごとのデータと、
前記画像とその画像に付随する音声とのデータ量を少なくした画像と音声とのデータ系列である前記第２のデータ系列から抽出された、第１の再生時間より長い第２の再生時間分の再生に必要なデータ量に基づくデータ量である第２のデータ量ごとのデータと、
前記画像とその画像に付随する音声とについてのメタデータのデータ系列である前記第３のデータ系列から抽出された、第３の再生時間分の再生に必要なデータ量に基づくデータ量である第３のデータ量のデータと
が記録されるとともに、
前記第１のデータ系列についての前記第１のデータ量ごとのデータを前記第２の再生時間に対応するようにまとめて一連のデータとし、この一連のデータと、前記第２のデータ系列についての前記第２のデータ量ごとのデータと、前記第３のデータ系列についての前記第３のデータ量ごとのデータとが、前記記録媒体の径方向に、周期的に配置されるように記録される
ことを特徴とする記録媒体。
【発明の詳細な説明】
【０００１】
【発明の属する技術分野】
本発明は、記録制御装置および記録制御方法、プログラム、並びに記録媒体に関し、特に、例えば、記録媒体の利便性を向上させること等ができるようにする記録制御装置および記録制御方法、プログラム、並びに記録媒体に関する。
【０００２】
【従来の技術】
従来、音声データAおよび画像データVは、図１に示されるように、音声データA（図中、陰が付されて表されているデータ）および画像データV（図中、白抜きで表されているデータ）が、例えば、光ディスクなどの記録媒体上に形成される物理的記録再生単位としての１つのセクタ内に混在して記録される。なお図１中、太い線の仕切りＢは、セクタの境界を表している。また、音声データAは、A1-1，A2-1の順に再生され、画像データVは、V1-1，V1-2，V2-1，V2-2の順に再生されるものである。
【０００３】
しかしながら、この従来の記録方法では、このように小さな音声データAおよび画像データVが、セクタ内の空いた領域に離散的に配置されるので、例えば、図１の音声データＡ1-1，Ａ2-1の全部または一部を、他の音声データAと置き換える編集を行う場合（例えば、音声データA1-1，A2-1に他の音声データAを上書きする場合）、データの読み出しは、記録媒体の内周側から外周側に向けてセクタ単位で行われることから、音声データＡ1-1，Ａ2-1の他、この編集では必要とされないが音声データA1-1，A2-1と同じセクタ内に配置されている画像データＶ1-1，Ｖ1-2，V2-1，V2-2が読み出される。すなわち音声信号に比べてデータ量が大きい無駄な画像信号が読み出される分、編集処理を迅速に行うことが困難である。
【０００４】
そこで、例えば、特許文献１においては、光ディスクの記録領域を同心円状に分割して得られる各領域に、ビデオデータとオーディオデータを記録することにより、ビデオデータとオーディオデータそれぞれを、ある程度連続して記録することが記載されている。
【０００５】
【特許文献１】
特開平１１−９８４４７号公報。
【０００６】
【発明が解決しようとする課題】
ところで、光ディスクなどへのデータの記録パターンは、その光ディスクの用途や使用目的などにあわせたものとするのが望ましい。
【０００７】
本発明はこのような状況に鑑みてなされたものであり、例えば、編集処理を迅速に行うことができるようにする等の、記録媒体の利便性を向上させることができるようにするものである。
【０００８】
【課題を解決するための手段】
本発明の記録制御装置は、画像とその画像に付随する音声とのデータ系列である第１のデータ系列から、画像とその画像に付随する音声とのデータ量を少なくした画像と音声とのデータ系列である第２のデータ系列を生成する生成手段と、第１のデータ系列から、第１の再生時間分の再生に必要なデータ量に基づくデータ量である第１のデータ量のデータを抽出する第１のデータ抽出手段と、第２のデータ系列から、第１の再生時間より長い第２の再生時間分の再生に必要なデータ量に基づくデータ量である第２のデータ量のデータを抽出する第２のデータ抽出手段と、画像とその画像に付随する音声とについてのメタデータのデータ系列である第３のデータ系列から、第３の再生時間分の再生に必要なデータ量に基づくデータ量である第３のデータ量のデータを抽出する第３のデータ抽出手段と、第１のデータ系列についての第１のデータ量ごとのデータを第２の再生時間に対応するようにまとめて一連のデータとし、この一連のデータと、第２のデータ系列についての第２のデータ量ごとのデータと、第３のデータ系列についての第３のデータ量ごとのデータとが、記録媒体の径方向に、周期的に配置されるように、記録媒体にデータを記録する記録制御を行う記録制御手段とを備えることを特徴とする。
【０００９】
本発明の記録制御方法は、画像とその画像に付随する音声とのデータ系列である第１のデータ系列から、画像とその画像に付随する音声とのデータ量を少なくした画像と音声とのデータ系列である第２のデータ系列を生成する生成ステップと、第１のデータ系列から、第１の再生時間分の再生に必要なデータ量に基づくデータ量である第１のデータ量のデータを抽出する第１のデータ抽出ステップと、第２のデータ系列から、第１の再生時間より長い第２の再生時間分の再生に必要なデータ量に基づくデータ量である第２のデータ量のデータを抽出する第２のデータ抽出ステップと、画像とその画像に付随する音声とについてのメタデータのデータ系列である第３のデータ系列から、第３の再生時間分の再生に必要なデータ量に基づくデータ量である第３のデータ量のデータを抽出する第３のデータ抽出ステップと、第１のデータ系列についての第１のデータ量ごとのデータを第２の再生時間に対応するようにまとめて一連のデータとし、この一連のデータと、第２のデータ系列についての第２のデータ量ごとのデータと、第３のデータ系列についての第３のデータ量ごとのデータとが、記録媒体の径方向に、周期的に配置されるように、記録媒体にデータを記録する記録制御を行う記録制御ステップとを備えることを特徴とする。
【００１０】
本発明のプログラムは、画像とその画像に付随する音声とのデータ系列である第１のデータ系列から、画像とその画像に付随する音声とのデータ量を少なくした画像と音声とのデータ系列である第２のデータ系列を生成する生成ステップと、第１のデータ系列から、第１の再生時間分の再生に必要なデータ量に基づくデータ量である第１のデータ量のデータを抽出する第１のデータ抽出ステップと、第２のデータ系列から、第１の再生時間より長い第２の再生時間分の再生に必要なデータ量に基づくデータ量である第２のデータ量のデータを抽出する第２のデータ抽出ステップと、画像とその画像に付随する音声とについてのメタデータのデータ系列である第３のデータ系列から、第３の再生時間分の再生に必要なデータ量に基づくデータ量である第３のデータ量のデータを抽出する第３のデータ抽出ステップと、第１のデータ系列についての第１のデータ量ごとのデータを第２の再生時間に対応するようにまとめて一連のデータとし、この一連のデータと、第２のデータ系列についての第２のデータ量ごとのデータと、第３のデータ系列についての第３のデータ量ごとのデータとが、記録媒体の径方向に、周期的に配置されるように、記録媒体にデータを記録する記録制御を行う記録制御ステップとを備えることを特徴とする。
【００１１】
本発明の記録媒体は、画像とその画像に付随する音声とのデータ系列である第１のデータ系列から抽出された、第１の再生時間分の再生に必要なデータ量に基づくデータ量である第１のデータ量ごとのデータと、画像とその画像に付随する音声とのデータ量を少なくした画像と音声とのデータ系列である第２のデータ系列から抽出された、第１の再生時間より長い第２の再生時間分の再生に必要なデータ量に基づくデータ量である第２のデータ量ごとのデータと、画像とその画像に付随する音声とについてのメタデータのデータ系列である第３のデータ系列から抽出された、第３の再生時間分の再生に必要なデータ量に基づくデータ量である第３のデータ量のデータとが記録されるとともに、第１のデータ系列についての第１のデータ量ごとのデータを第２の再生時間に対応するようにまとめて一連のデータとし、この一連のデータと、第２のデータ系列についての第２のデータ量ごとのデータと、第３のデータ系列についての第３のデータ量ごとのデータとが、記録媒体の径方向に、周期的に配置されるように記録されることを特徴とする。
【００１２】
本発明の記録制御装置および記録制御方法、並びにプログラムにおいては、画像とその画像に付随する音声とのデータ系列である第１のデータ系列から、画像とその画像に付随する音声とのデータ量を少なくした画像と音声とのデータ系列である第２のデータ系列が生成される。そして、第１のデータ系列から、第１の再生時間分の再生に必要なデータ量に基づくデータ量である第１のデータ量のデータが抽出されるとともに、第２のデータ系列から、第１の再生時間より長い第２の再生時間分の再生に必要なデータ量に基づくデータ量である第２のデータ量のデータが抽出される。また、画像とその画像に付随する音声とについてのメタデータのデータ系列である第３のデータ系列から、第３の再生時間分の再生に必要なデータ量に基づくデータ量である第３のデータ量のデータが抽出される。そして、第１のデータ系列についての第１のデータ量ごとのデータを第２の再生時間に対応するようにまとめて一連のデータとし、この一連のデータと、第２のデータ系列についての第２のデータ量ごとのデータと、第３のデータ系列についての第３のデータ量ごとのデータとが、記録媒体の径方向に、周期的に配置されるように、記録媒体にデータが記録される。
【００１３】
本発明の記録媒体においては、画像とその画像に付随する音声とのデータ系列である第１のデータ系列から抽出された、第１の再生時間分の再生に必要なデータ量に基づくデータ量である第１のデータ量ごとのデータと、画像とその画像に付随する音声とのデータ量を少なくした画像と音声とのデータ系列である第２のデータ系列から抽出された、第１の再生時間より長い第２の再生時間分の再生に必要なデータ量に基づくデータ量である第２のデータ量ごとのデータと、画像とその画像に付随する音声とについてのメタデータのデータ系列である第３のデータ系列から抽出された、第３の再生時間分の再生に必要なデータ量に基づくデータ量である第３のデータ量のデータとが記録されるとともに、第１のデータ系列についての第１のデータ量ごとのデータを第２の再生時間に対応するようにまとめて一連のデータとし、この一連のデータと、第２のデータ系列についての第２のデータ量ごとのデータと、第３のデータ系列についての第３のデータ量ごとのデータとが、記録媒体の径方向に、周期的に配置されるように記録されている。
【００１４】
【発明の実施の形態】
図２は、本発明を適用した、ディスク記録再生装置（ディスク装置）１０の一実施の形態の構成例を示している。
【００１５】
スピンドルモータ１２は、サーボ制御部１５からのスピンドルモータ駆動信号に基づいて、光ディスク１１をCLV(Constant Linear Velocity)またはCAV(Constant Angular Velocity)で回転駆動する。
【００１６】
ピックアップ部１３は、信号処理部１６から供給される記録信号に基づきレーザ光の出力を制御して、光ディスク１１に記録信号を記録する。ピックアップ部１３はまた、光ディスク１１にレーザ光を集光して照射するとともに、光ディスク１１からの反射光を光電変換して電流信号を生成し、RF(Radio Frequency)アンプ１４に供給する。なお、レーザ光の照射位置は、サーボ制御部１５からピックアップ部１３に供給されるサーボ信号により所定の位置に制御される。
【００１７】
RFアンプ１４は、ピックアップ部１３からの電流信号に基づいて、フォーカス誤差信号およびトラッキング誤差信号、並びに再生信号を生成し、トラッキング誤差信号およびフォーカス誤差信号をサーボ制御部１５に供給し、再生信号を信号処理部１６に供給する。
【００１８】
サーボ制御部１５は、フォーカスサーボ動作やトラッキングサーボ動作の制御を行う。具体的には、サーボ制御部１５は、RFアンプ１４からのフォーカス誤差信号とトラッキング誤差信号に基づいてフォーカスサーボ信号とトラッキングサーボ信号をそれぞれ生成し、ピックアップ部１３のアクチュエータ（図示せず）に供給する。またサーボ制御部１５は、スピンドルモータ１２を駆動するスピンドルモータ駆動信号を生成して、光ディスク１１を所定の回転速度で回転させるスピンドルサーボ動作の制御を行う。
【００１９】
さらにサーボ制御部１５は、ピックアップ部１３を光ディスク１１の径方向に移動させてレーザ光の照射位置を変えるスレッド制御を行う。なお、光ディスク１１の信号読み出し位置の設定は、制御部２０によって行われ、設定された読み出し位置から信号を読み出すことができるようにピックアップ部１３の位置が制御される。
【００２０】
信号処理部１６は、メモリコントローラ１７から入力される記録データを変調して記録信号を生成し、ピックアップ部１３に供給する。信号処理部１６はまた、RFアンプ１４からの再生信号を復調して再生データを生成し、メモリコントローラ１７に供給する。
【００２１】
メモリコントローラ１７は、データ変換部１９からの記録データを、後述するように、適宜、メモリ１８に記憶するとともに、それを読み出し、信号処理部１６に供給する。メモリコントローラ１７はまた、信号処理部１６からの再生データを、適宜、メモリ１８に記憶するとともに、それを読み出し、データ変換部１９に供給する。
【００２２】
データ変換部１９は、信号入出力装置３１から供給される、ビデオカメラ（図示せず）で撮影された撮影画像と音声の信号や、記録媒体（図示せず）から再生された信号を、必要に応じて、例えば、MPEG (Moving Picture Experts Group)、JPEG (Joint Photographic Experts Group)等の方式に基づいて圧縮して記録データを生成し、メモリコントローラ１７に供給する。
【００２３】
データ変換部１９はまた、メモリコントローラ１７から供給される再生データを、必要に応じて伸張し、所定のフォーマットの出力信号に変換して、信号入出装置３１に供給する。
【００２４】
制御部２０は、操作部２１からの操作信号などに基づき、サーボ制御部１５、信号処理部１６、メモリコントローラ１７、およびデータ変換部１９を制御し、記録再生処理を実行させる。
【００２５】
操作部２１は、例えば、ユーザによって操作され、その操作に対応する操作信号を、制御部２０に供給する。
【００２６】
以上のように構成されるディスク記録再生装置１０では、ユーザが操作部２１を操作することにより、データの記録を指令すると、信号入出力装置３１から供給されるデータが、データ変換部１９、メモリコントローラ１７、信号処理部１６、およびピックアップ部１３を介して、光ディスク１１に供給されて記録される。
【００２７】
また、ユーザが操作部２１を操作することにより、データの再生を指令すると、光ディスク１１から、ピックアップ部１３、RFアンプ１４、信号処理部１６、メモリコントローラ１７、およびデータ変換部１９を介して、データが読み出されて再生され、信号入出力装置３１に供給される。
【００２８】
次に、図３は、図２のデータ変換部１９の構成例を示している。
【００２９】
光ディスク１１へのデータの記録時には、信号入出力装置３１から記録すべき信号が、デマルチプレクサ４１に供給される。デマルチプレクサ４１は、信号入出力装置３１から供給される信号から、関連する複数のデータ系列、即ち、例えば、動画の（例えばベースバンドの）画像信号と、その画像信号に付随する（例えばベースバンドの）音声信号とを分離し、データ量検出部４２に供給する。
【００３０】
データ量検出部４２は、デマルチプレクサ４１から供給される画像信号と音声信号を、そのまま、画像信号変換部４３と音声信号変換部４４にそれぞれ供給するとともに、その画像信号と音声信号のデータ量を検出し、メモリコントローラ１７に供給する。即ち、データ量検出部４２は、デマルチプレクサ４１から供給される画像信号と音声信号それぞれについて、例えば、所定の再生時間分のデータ量を検出し、メモリコントローラ１７に供給する。
【００３１】
画像信号変換部４３は、データ量検出部４２から供給される画像信号を、例えば、すべてのフレームをI（Intra）ピクチャとしてMPEGエンコードし、その結果得られる画像データのデータ系列を、メモリコントローラ１７に供給する。また、音声信号変換部４３は、データ量検出部４２から供給される音声信号を、例えばMPEGエンコードし、その結果得られる音声データのデータ系列を、メモリコントローラ１７に供給する。
【００３２】
そして、メモリコントローラ１７に供給された画像データと音声データは、上述したようにして、光ディスク１１に供給されて記録される。
【００３３】
一方、光ディスク１１からのデータの再生時においては、上述したようにして、光ディスク１１から画像データまたは音声データが読み出され、画像データは、メモリコントローラ１７から画像データ変換部４５に、音声データは、メモリコントローラ１７から音声データ変換部４６に供給される。
【００３４】
画像データ変換部４５は、メモリコントローラ１７から供給される画像データのデータ系列を、例えばMPEGデコードし、その結果得られる画像信号を、マルチプレクサ４７に供給する。また、音声データ変換部４６は、メモリコントローラ１７から供給される音声データのデータ系列を、例えばMPEGデコードし、その結果得られる音声信号を、マルチプレクサ４７に供給する。
【００３５】
マルチプレクサ４７は、画像データ変換部４５から供給される画像信号と、音声データ変換部４６から供給される音声信号を、信号入出力装置３１に供給する。なお、マルチプレクサ４７は、光ディスク１１から、画像データまたは音声データだけが読み出され、これにより、画像データ変換部４５または音声データ変換部４６から画像信号または音声信号だけが供給される場合には、その画像信号または音声信号だけを、信号入出力装置３１に供給する。また、マルチプレクサ４７は、光ディスク１１から、画像データと音声データの両方が読み出され、これにより、画像データ変換部４５と音声データ変換部４６から、それぞれ、画像信号と音声信号が供給される場合には、その画像信号と音声信号を、例えば多重化して、信号入出力装置３１に供給する。但し、マルチプレクサ４７では、画像信号と音声信号を、独立に、並列して出力することも可能である。
【００３６】
次に、音声データAおよび画像データVを光ディスク１１に記録する場合の図１の制御部２０の動作を、図４のフローチャートを参照して説明する。
【００３７】
操作部２１が操作されることによって、記録処理開始を指令する旨の操作信号が、操作部２１から制御部２０に供給されると、制御部２０は、記録処理を開始する。
【００３８】
即ち、制御部２０は、まず最初に、ステップＳ１において、音声年輪サイズＴsaと画像年輪サイズＴsvとを設定する。
【００３９】
ここで、音声年輪サイズＴsaは、光ディスク１１にひとまとめで配置して記録する音声データAのデータ量を決定する変数で、例えば、音声信号の再生時間によって表される。画像年輪サイズＴsvも、同様に、光ディスク１１にひとまとめで配置して記録する画像データVのデータ量を決定する変数で、例えば、画像信号の再生時間によって表される。
【００４０】
なお、音声年輪サイズＴsaと画像年輪サイズＴsvを、例えば、ビット数やバイト数などのデータ量そのものによって表すのではなく、再生時間によって、いわば間接的に表すようにしたのは、次のような理由による。
【００４１】
即ち、図４の記録処理によれば、後述するように、光ディスク１１には、音声データAの系列から抽出された音声年輪サイズＴsaに基づくデータ量ごとの音声データのまとまりである音声年輪データと、画像データVの系列から抽出された画像年輪サイズＴsvに基づくデータ量ごとの画像データのまとまりである画像年輪データとが周期的に配置されて記録される。
【００４２】
このように、光ディスク１１に、音声年輪データと画像年輪データとが周期的に配置されて記録される場合、画像と音声の再生を考えると、その再生は、画像信号とその画像信号に付随する音声信号とが揃わないと行うことができない。かかる再生の観点からは、ある再生時間帯の音声年輪データと、その再生時間帯の画像年輪データとは、光ディスク１１上の近い位置、即ち、例えば、隣接する位置に記録すべきである。
【００４３】
しかしながら、同一の再生時間分の音声データAと画像データVのデータ量を比較した場合、それらのデータ量は、一般に大きく異なる。即ち、ある再生時間分の音声データAのデータ量は、その再生時間分の画像データVのデータ量に比較してかなり少ない。さらに、音声データAや画像データVのデータレートが、固定ではなく、可変となっているケースもある。
【００４４】
従って、音声年輪サイズＴsaと画像年輪サイズＴsvを、データ量で表し、そのデータ量ごとの音声年輪データと画像年輪データを、音声データAと画像データVの系列それぞれから順次抽出すると、各再生時間帯の画像年輪データに対して、再生時刻が徐々に進んだ（先の）再生時間帯の音声年輪データが得られるようになり、その結果、同一の再生時間帯に再生されるべき音声データと画像データとを、光ディスク１１上の近い位置に配置することが困難となる。
【００４５】
一方、音声年輪サイズＴsaと画像年輪サイズＴsvを、再生時間で表し、その再生時間分のデータ量ごとの音声年輪データと画像年輪データを、音声データAと画像データVの系列それぞれから順次抽出した場合には、同じような再生時間帯の音声年輪データと画像年輪データとをセットで得ることができ、その結果、同一の再生時間帯に再生されるべき音声データと画像データとを、近い位置に配置することができる。
【００４６】
ここで、音声年輪サイズＴsaは、それが表す再生時間分のデータ量の音声年輪データを、光ディスク１１から読み出すよりは、シークして読み飛ばした方が早くなるような値とするのが望ましい。画像年輪サイズＴsvも、同様であり、そのような画像年輪サイズＴsvは、本件発明者の経験上、例えば、１．５秒から２秒程度である。
【００４７】
また、同じような再生時間帯の音声年輪データと画像年輪データとを構成する場合には、音声年輪サイズＴsaと画像年輪サイズＴsvを、同一の値とすればよく、この場合、同じような再生時間帯の音声年輪データと画像年輪データは、上述の再生の観点から、光ディスク１１上に、交互に配置するのが望ましい。
【００４８】
さらに、音声年輪サイズＴsaと画像年輪サイズＴsvは、異なる値とすることが可能であり、音声データのデータレートが画像データのデータレートよりもかなり低いことが一般的であることを考えると、音声年輪サイズＴsaは、画像年輪サイズＴsvの、例えば２倍などにすることが可能である。この場合、ある１つの音声年輪データに対して、その再生時間帯と同じような再生時間帯の画像年輪データは２つとなるが、この１つの音声年輪データと、対応する２つの画像年輪データとは、上述の再生の観点からは、やはり、光ディスク１１上の近い位置に配置するのが望ましい。具体的には、１つの音声年輪データと、対応する２つの画像年輪データとは、例えば、音声年輪データ、対応する２つの画像年輪データのうちの一方、その他方という順番や、２つの画像年輪データのうちの一方、音声年輪データ、２つの画像年輪データのうちの他方という順番で、周期的に配置するのが望ましい。
【００４９】
なお、ステップＳ１で設定する音声年輪サイズＴsaと画像年輪サイズＴsvの値は、あらかじめ定められた固定の値でも良いし、可変の値でも良い。音声年輪サイズＴsaと画像年輪サイズＴsvの値を可変とする場合には、その可変の値は、例えば、操作部２１を操作することによって入力するようにすることができる。
【００５０】
ステップＳ１の処理後は、ステップＳ２に進み、制御部２０は、データ変換部１９を制御して、信号入出力装置３１からディスク記録再生装置１０に供給される音声信号と画像信号を圧縮符号化して、音声データAの系列と画像データVの系列とする音声信号変換処理と画像信号変換処理をそれぞれ開始させるとともに、メモリコントローラ１７を制御して、データ変換部１９で得られた音声データAと画像データVをメモリ１８に供給して記憶させる音声データ記憶処理と画像データ記憶処理をそれぞれ開始させる。
【００５１】
そして、ステップＳ３に進み、制御部２０は、音声データAを光ディスク１１に記録させる制御タスクである音声データ記録タスクを開始し、ステップＳ４に進む。ステップＳ４では、制御部２０は、画像データVを光ディスク１１に記録させる制御タスクである画像データ記録タスクを開始し、ステップＳ５に進む。なお、音声データ記録タスクと画像データ記録タスクの詳細については、後述する。
【００５２】
ステップＳ５では、制御部２０は、操作部２１から、データの記録の終了を指令する操作信号が供給されたかどうかを判定する。ステップＳ５において、データの記録の終了を指令する操作信号が供給されていないと判定された場合、ステップＳ６に進み、制御部２０は、すべての記録タスクが終了したかどうかを判定する。ステップＳ６において、すべての記録タスクが終了していないと判定された場合、ステップＳ５に戻り、以下、同様の処理が繰り返される。
【００５３】
また、ステップＳ６において、すべての記録タスクが終了したと判定された場合、即ち、ステップＳ３で開始された音声データ記録タスク、およびステップＳ４で開始された画像データ記録タスクの両方が終了している場合、記録処理を終了する。
【００５４】
一方、ステップＳ５において、データの記録の終了を指令する操作信号が供給されたと判定された場合、即ち、例えば、ユーザが、データの記録を終了するように、操作部２１を操作した場合、ステップＳ７に進み、制御部２０は、ステップＳ２で開始させた音声信号変換処理および画像信号変換処理、並びに音声データ記憶処理および画像データ記憶処理を終了させ、ステップＳ８に進む。
【００５５】
ステップＳ８では、ステップＳ６における場合と同様に、すべての記録タスクが終了したかどうかを判定する。ステップＳ８において、すべての記録タスクが終了していないと判定された場合、ステップＳ８に戻り、すべての記録タスクが終了するまで待ち時間がおかれる。
【００５６】
そして、ステップＳ８において、すべての記録タスクが終了したと判定された場合、即ち、ステップＳ３で開始された音声データ記録タスク、およびステップＳ４で開始された画像データ記録タスクが終了した場合、記録処理を終了する。
【００５７】
次に、図５のフローチャートを参照して、図４のステップＳ３で開始される音声データ記録タスクについて説明する。
【００５８】
音声データ記録タスクが開始されると、まず最初に、ステップＳ１１において、制御部２０は、後述するステップＳ１７の処理で、１ずつインクリメントされる変数Ｎaを、例えば１に初期化し、ステップＳ１２に進む。
【００５９】
ステップＳ１２では、制御部２０は、Ｔsa×Ｎaが、Ｔsv×Ｎv以下であるかどうかを判定する。
【００６０】
ここで、Ｔsaは、音声年輪サイズであり、音声信号の、ある再生時間を表す。また、変数Ｎaは、後述するように、音声年輪サイズＴsaに基づくデータ量の音声データ（音声年輪データ）が光ディスク１１に記録されるごとに、１ずつインクリメントされていく。同様に、Ｔsvは、画像年輪サイズであり、変数Ｎvは、後述するように、画像データ記録タスクにおいて、画像年輪サイズＴsvに基づくデータ量の画像データ（画像年輪データ）が光ディスク１１に記録されるごとに、１ずつインクリメントされていく。従って、Ｔsa×Ｎaは、音声データを、音声年輪サイズＴsa単位で記録していった場合に、これから光ディスク１１に記録しようとしている音声年輪データの最後の再生時刻に相当し、Ｔsv×Ｎvは、画像データを、画像年輪サイズＴsv単位で記録していった場合に、これから光ディスク１１に記録しようとしている画像年輪データの最後の再生時刻に相当する。
【００６１】
一方、いま、音声年輪データと画像年輪データとを、同じような再生時間帯のものが、光ディスク１１上の近い位置に記録されるように、周期的に配置するものとする。さらに、同じような再生時間帯の音声年輪データと画像年輪データについては、例えば、音声年輪データが先に配置され、その後に、画像年輪データが配置されるものとする。
【００６２】
この場合、これから記録しようとする音声年輪データを、注目音声年輪データというものとすると、注目音声年輪データは、再生時刻Ｔsa×Ｎa以前の最近の（再生時刻Ｔsa×Ｎaに最も近い）再生時間帯の音声年輪データとなるが、この注目音声年輪データは、再生時刻Ｔsa×Ｎa以前の最近の再生時間帯の画像年輪データが記録される直前、つまり、再生時刻Ｔsa×Ｎa以前の２番目に新しい再生時間帯の画像年輪データが記録された直後に記録する必要がある。
【００６３】
ところで、これから記録される画像年輪データは、Ｔsv×Ｎv以前の最近の再生時間帯の画像年輪データである。従って、注目音声年輪データの記録は、音声年輪データの再生時刻Ｔsa×Ｎaが、画像年輪データの再生時刻Ｔsv×Ｎv以下となっているタイミングで行う必要がある。
【００６４】
そこで、ステップＳ１２では、上述したように、音声年輪データの再生時刻Ｔsa×Ｎaが、画像年輪データの再生時刻Ｔsv×Ｎv以下であるかどうかが判定され、これにより、現在のタイミングが、注目音声年輪データの記録を行うべきタイミングであるかどうかが判定される。
【００６５】
ステップＳ１２において、音声年輪データの再生時刻Ｔsa×Ｎaが、画像年輪データの再生時刻Ｔsv×Ｎv以下（以前）でないと判定された場合、即ち、Ｔsv×Ｎv以前の最近の再生時間帯の画像年輪データが、まだ記録されておらず、現在のタイミングが、注目音声年輪データの記録を行うべきタイミングでない場合、ステップＳ１２に戻り、以下、同様の処理が繰り返される。
【００６６】
また、ステップＳ１２において、音声年輪データの再生時刻Ｔsa×Ｎaが、画像年輪データの再生時刻Ｔsv×Ｎv以下であると判定された場合、即ち、現在のタイミングが、注目音声年輪データの記録を行うべきタイミングである場合、ステップＳ１３に進み、制御部２０は、データ変換部１９からメモリコントローラ１７を介して、メモリ１８に、音声データAが供給されているか否かを判定し、供給されていると判定した場合、ステップＳ１４に進む。
【００６７】
ステップＳ１４では、制御部２０は、メモリ１８に、通算して、音声年輪サイズＴsa×Ｎa分の再生に必要な音声信号の音声データAが記憶されたか否かを判定し、まだ、その分の音声データAがメモリ１８に記憶されていないと判定された場合、ステップＳ１２に戻り、それ以降の処理が繰り返される。また、ステップＳ１４において、再生時間Ｔsa×Ｎaに対応する分の音声データAがメモリ１８に記憶されたと判定された場合、処理はステップＳ１５に進む。
【００６８】
なお、データ変換部１９のデータ量検出部４２は、通算して、再生時間Ｔsa×Ｎa分の再生に必要な音声信号を検出したとき、その旨を、メモリコントローラ１７に通知する。メモリコントローラ１７は、その通知に基づいて、通算して、再生時間Ｔsa×Ｎa分の再生に必要な音声データAをメモリ１８に記憶させたか否かの判定を行い、その判定結果を制御部２０に通知する。すなわち制御部２０は、メモリコントローラ１７からのその判定結果に基づいて、ステップＳ１４における判定を行う。なお、本実施の形態では、音声信号を圧縮符号化することによって得られる画像データがメモリ１８に記憶されることとしているが、音声信号は、圧縮符号化せずに、そのまま、音声データとして、メモリ１８に記憶させることも可能である。
【００６９】
ここで、図６は、メモリ１８に記憶される音声データAの通算のデータ量（通算データ量）Ｌａと時間（再生時間）との関係を示している。なお、図６中右側の上下方向を示す小さな矢印（水平方向の点線の間隔を示す矢印）は、セクタのデータ量Suを表している。また、図６における点線Ｌｖは、後述する図９において実線で示してある、メモリ１８に記憶される画像データVの通算のデータ量（通算データ量）Ｌｖを示している。さらに、図６では、音声データAの通算データ量Ｌａが直線となっており、従って、音声データAのデータレートが、固定であるものとしてある。但し、音声データAは、可変のデータレートのものとすることが可能である。
【００７０】
図６において、例えば、Ｎa＝１のときの時間Ｔsa×Ｎa（＝１）分の再生に必要な音声データAのデータ量は、AN1’である。従って、Ｎa＝１のときのステップＳ１４では、通算データ量がAN1’の音声データAが、メモリ１８に記憶されたとき、再生時間Ｔsa×Ｎaに対応する分の音声データAがメモリ１８に記憶されたと判定され、ステップＳ１５に進む。
【００７１】
ステップＳ１５では、制御部２０は、メモリコントローラ１７を制御して、メモリ１８に記憶されている音声データAから、光ディスク１１上に形成される物理的記録再生単位（物理的単位領域）としての、例えば１つのセクタのデータ量Suの整数倍（ｎ倍）のデータ量であって、メモリ１８から読み出すことのできる最大のデータ量の音声データAを、時間的に先に入力された方から読み出させることにより抽出し、ステップＳ１６に進む。なお、このセクタの整数倍のデータ量であって、メモリ１８から読み出すことのできる最大のデータ量の音声データAとして、メモリ１８から読み出される音声年輪データが、上述した、再生時刻Ｔsa×Ｎa以前の最近の音声年輪データである。
【００７２】
ここで、上述の図６において時刻が１×Ｔsaのとき、メモリ１８には、少なくともデータ量AN1’の音声データAが記憶されている。データ量AN1’は、１つのセクタのデータ量より大であるが、２つのセクタのデータ量より小であるため、ステップＳ１５では、１つのセクタのデータ量SuであるAN1分の音声データAが、メモリ１８から、注目音声年輪データとして読み出されることにより抽出される。
【００７３】
なお、ステップＳ１５において読み出されなかった音声データ、即ち、図６の時刻が１×Ｔsaのときにおいては、１つのセクタのデータ量Suに満たないデータ量Aα1の音声データAは、そのままメモリ１８に残される。
【００７４】
図５に戻り、ステップＳ１６では、制御部２０が、ステップＳ１５で得られた、セクタの整数倍のデータ量の注目音声年輪データを、メモリコントローラ１７から信号処理部１６に供給させ、これにより、そのセクタの整数倍のデータ量の注目音声年輪データが、その整数倍の数のセクタに記録されるように記録制御を行う。
【００７５】
ここで、図６の時刻が１×Ｔsaのときには、１つのセクタのデータ量Suの音声データAが、注目音声年輪データとして、メモリコントローラ１７から信号処理部１６に供給される。そして、この１つのセクタのデータ量Suの注目音声年輪データは、ピックアップ部１３に供給され、図７に示すように、光ディスク１１の１つのセクタであるセクタ＃１に、音声年輪データの境界と、光ディスク１１のセクタ＃１の境界とが一致するように記録される。
【００７６】
なお、ここでは、説明を簡単にするために、光ディスク１１には、物理的に連続した、十分大きな空き領域が存在するものとする。また、光ディスク１１に対するデータの読み書きが、例えば、その内周から外周方向に行われるものとすると、データの記録は、メモリコントローラ１７から信号処理部１６に供給されるデータの順番で、空き領域の内周側から外周側に連続して行われていくものとする。
【００７７】
ステップＳ１６において、上述のように、注目音声年輪データの記録制御が行われた後は、ステップＳ１７に進み、制御部２０は、変数Ｎaを１だけインクリメントし、ステップＳ１２に戻り、それ以降の処理を実行する。
【００７８】
一方、ステップＳ１３において、音声データAがメモリ１８に供給されていないと判定された場合、即ち、データ変換部１９からメモリコントローラ１７への音声データAの供給が停止した場合、ステップＳ１８に進み、制御部２０は、メモリコントローラ１７を制御することにより、メモリ１８にいま残っている音声データAのすべてを読み出し、そのデータ量がセクタの整数倍の最小のデータ量となるように、音声データAに、パディング用のパディング(PADDING)データを付加する。これにより、メモリ１８から読み出された音声データAは、セクタの整数倍のデータ量の音声年輪データとされる。さらに、制御部２０は、その音声年輪データを、メモリコントローラ１７から信号処理部１６に供給させ、これにより、そのセクタの整数倍のデータ量の音声年輪データが、その整数倍の数のセクタに記録されるように記録制御を行う。
【００７９】
その後、ステップＳ１９に進み、制御部２０は、変数Ｎaに、無限大に相当する値（非常に大きな値）をセットして、音声データ記録タスクを終了する。
【００８０】
なお、上述の場合には、光ディスク１１の物理的単位領域を、セクタとしたが、光ディスク１１の物理的単位領域としては、その他、例えば、ECC(Error Correction Code：誤り訂正符号)処理が施される単位のデータが記録されるECCブロックとすることが可能である。また、光ディスク１１の物理的単位領域は、その他、例えば、複数の固定数のセクタや、複数の固定数のECCブロックとすることが可能である。
【００８１】
ここで、ECC処理は、例えば、信号処理部１６で、ECCブロック単位で施される。また、セクタは、１以上の個数のECCブロックで構成することができる。あるいは、ECCブロックは、１以上の個数のECCブロックで構成することができる。
【００８２】
以下では、１つのセクタを、光ディスク１１の物理的単位領域として説明を行う。なお、１つのECCブロックが１つのセクタから構成されるものとすれば、物理的単位領域を、セクタとしても、また、ECCブロックとしても、光ディスク１１へのデータの記録結果は同一になる。
【００８３】
次に、図８のフローチャートを参照して、図４のステップＳ４で開始される画像データ記録タスクについて説明する。
【００８４】
画像データ記録タスクが開始されると、まず最初に、ステップＳ２１において、制御部２０は、後述するステップＳ２７の処理で、１ずつインクリメントされる変数Ｎvを、例えば１に初期化し、ステップＳ２２に進む。
【００８５】
ステップＳ２２では、制御部２０は、Ｔsv×Ｎvが、Ｔsa×Ｎa未満であるかどうかを判定する。
【００８６】
ここで、音声データ記録タスクで説明したように、Ｔsa×Ｎaは、音声データを、音声年輪サイズＴsa単位で記録していった場合に、これから光ディスク１１に記録しようとしている音声年輪データの最後の再生時刻に相当し、Ｔsv×Ｎvは、画像データを、画像年輪サイズＴsv単位で記録していった場合に、これから光ディスク１１に記録しようとしている画像年輪データの最後の再生時刻に相当する。
【００８７】
いま、上述したように、音声年輪データと画像年輪データとを、同じような再生時間帯のものが、光ディスク１１上の近い位置に記録されるように、周期的に配置し、さらに、同じような再生時間帯の音声年輪データと画像年輪データについては、音声年輪データが先に配置され、その後に、画像年輪データが配置されるものとする。そして、これから記録しようとする画像年輪データを、注目画像年輪データというものとすると、注目画像年輪データは、再生時刻Ｔsv×Ｎv以前の最近の（再生時刻Ｔsv×Ｎvに最も近い）再生時間帯の画像年輪データとなるが、この注目画像年輪データは、再生時刻Ｔsa×Ｎa以前の最近の再生時間帯の音声年輪データが記録された直後に記録する必要がある。従って、注目画像年輪データの記録は、画像年輪データの再生時刻Ｔsv×Ｎvが、音声年輪データの再生時刻Ｔsa×Ｎa未満となっているタイミングで行う必要がある。
【００８８】
そこで、ステップＳ２２では、上述したように、画像年輪データの再生時刻Ｔsv×Ｎvが、音声年輪データの再生時刻Ｔsa×Ｎa未満であるかどうかが判定され、これにより、現在のタイミングが、注目画像年輪データの記録を行うべきタイミングであるかどうかが判定される。
【００８９】
ステップＳ２２において、画像年輪データの再生時刻Ｔsv×Ｎvが、音声年輪データの再生時刻Ｔsa×Ｎa未満でないと判定された場合、即ち、現在のタイミングが、注目画像年輪データの記録を行うべきタイミングでない場合、ステップＳ２２に戻り、以下、同様の処理が繰り返される。
【００９０】
また、ステップＳ２２において、画像年輪データの再生時刻Ｔsv×Ｎvが、音声年輪データの再生時刻Ｔsa×Ｎa未満であると判定された場合、即ち、現在のタイミングが、注目画像年輪データの記録を行うべきタイミングである場合、ステップＳ２３に進み、制御部２０は、データ変換部１９からメモリコントローラ１７を介して、メモリ１８に、画像データVが供給されているか否かを判定し、供給されていると判定した場合、ステップＳ２４に進む。
【００９１】
ステップＳ２４では、制御部２０は、メモリ１８に、通算して、画像年輪サイズＴsv×Ｎv分の再生に必要な画像信号の画像データVが記憶されたか否かを判定し、まだ、その分の画像データVがメモリ１８に記憶されていないと判定された場合、ステップＳ２２に戻り、それ以降の処理が繰り返される。また、ステップＳ２４において、再生時間Ｔsv×Ｎvに対応する分の画像データVがメモリ１８に記憶されたと判定された場合、処理はステップＳ２５に進む。
【００９２】
なお、データ変換部１９のデータ量検出部４２は、通算して、再生時間Ｔsv×Ｎv分の再生に必要な画像信号を検出したとき、その旨を、メモリコントローラ１７に通知する。メモリコントローラ１７は、その通知に基づいて、通算して、再生時間Ｔsv×Ｎv分の再生に必要な画像データVをメモリ１８に記憶したか否かの判定を行い、その判定結果を制御部２０に通知する。すなわち制御部２０は、メモリコントローラ１７からのその判定結果に基づいて、ステップＳ２４における判定を行う。なお、本実施の形態では、画像信号を圧縮符号化することによって得られる画像データがメモリ１８に記憶されることとしているが、画像信号は、圧縮符号化せずに、そのまま、画像データとして、メモリ１８に記憶させることも可能である。
【００９３】
ここで、図９は、メモリ１８に記憶される画像データVの通算のデータ量（通算データ量）Ｌａと時間（再生時間）との関係を示している。なお、図９中右側の上下方向を示す小さな矢印（水平方向の点線の間隔を示す矢印）は、図６における場合と同様に、セクタのデータ量Suを表している。また、図９における点線Ｌａは、上述の図６において実線で示した、メモリ１８に記憶される音声データAの通算データ量Ｌａである。
【００９４】
図９において、例えば、Ｎv＝１のときの時間Ｔsv×Ｎv（＝１）分の再生に必要な画像データVのデータ量は、VN1’である。従って、Ｎv＝１のときのステップＳ２４では、通算データ量がVN1’の画像データVが、メモリ１８に記憶されたとき、再生時間Ｔsv×Ｎvに対応する分の画像データVがメモリ１８に記憶されたと判定され、ステップＳ２５に進む。
【００９５】
ステップＳ２５では、制御部２０は、メモリコントローラ１７を制御して、メモリ１８に記憶されている画像データVから、光ディスク１１上に形成される物理的記録再生単位（物理的単位領域）としての、例えば１つのセクタのデータ量Suの整数倍（ｎ倍）のデータ量であって、メモリ１８から読み出すことのできる最大のデータ量の画像データVを、時間的に先に入力された方から読み出させることにより抽出し、ステップＳ２６に進む。なお、このセクタの整数倍のデータ量であって、メモリ１８から読み出すことのできる最大のデータ量の画像データVとして、メモリ１８から読み出される画像年輪データが、上述した、再生時刻Ｔsv×Ｎv以前の最近の画像年輪データである。
【００９６】
ここで、上述の図９において時刻が１×Ｔsvのとき、メモリ１８には、少なくともデータ量VN1’の画像データVが記憶されている。データ量VN1’は、４つのセクタのデータ量より大であるが、５つのセクタのデータ量より小であるため、ステップＳ２５では、４つのセクタのデータ量SuであるVN1分の画像データVが、メモリ１８から、注目画像年輪データとして読み出されることにより抽出される。
【００９７】
なお、ステップＳ２５において読み出されなかった画像データ、即ち、図９の時刻が１×Ｔsvのときにおいては、１つのセクタのデータ量Suに満たないデータ量Vα1の画像データVは、そのままメモリ１８に残される。
【００９８】
図８に戻り、ステップＳ２６では、制御部２０が、ステップＳ２５で得られた、セクタの整数倍のデータ量の注目画像年輪データを、メモリコントローラ１７から信号処理部１６に供給させ、これにより、そのセクタの整数倍のデータ量の注目画像年輪データが、その整数倍の数のセクタに記録されるように記録制御を行う。
【００９９】
ここで、図９の時刻が１×Ｔsvのときには、４つのセクタのデータ量Suの画像データVが、注目画像年輪データとして、メモリコントローラ１７から信号処理部１６に供給される。そして、この４つのセクタのデータ量Suの注目画像年輪データは、ピックアップ部１３に供給され、上述した図７に示すように、光ディスク１１の４つのセクタであるセクタ＃２，＃３，＃４，＃５に、画像年輪データの境界と、光ディスク１１のセクタ＃２乃至＃５の領域の境界（セクタ＃２の先頭側の境界およびセクタ＃５の終わり側の境界）とが一致するように記録される。
【０１００】
即ち、いま、説明を簡単にするため、音声年輪サイズＴsaと画像年輪サイズＴsvとが等しいものとすると、図５の音声データ記録タスクと、図８の画像データ記録タスクの開始後、Ｎa＝Ｎa＝１のときに、図７に示したように、セクタ＃１に、再生時刻Ｔsa×Ｎa以前の最近の音声年輪データが記録される。セクタ＃１に音声年輪データが記録されることにより、図５の音声データ記録タスクのステップＳ１７では、変数Ｎaが１だけインクリメントされ、Ｎa＝２とされる。このとき、変数Ｎvは、まだ１のままであり、従って、再生時刻Ｔsa×Ｎaは、再生時刻Ｔsa×Ｎa未満となる。その結果、図８の画像データ記録タスクでは、ステップＳ２６において、再生時刻Ｔsv×Ｎv以前の最近の画像年輪データが、セクタ＃２乃至＃５に記録される。
【０１０１】
即ち、ここでは、上述したように、光ディスク１１において、データの記録が、メモリコントローラ１７から信号処理部１６に供給されるデータの順番で、空き領域の内周側から外周側に連続して行われていくものとしているため、再生時刻Ｔsv×Ｎv以前の最近の画像年輪データである４セクタ分の画像年輪データは、直前に、音声年輪データが記録されたセクタ＃１の直後のセクタ＃２から開始され、これにより、図７に示したように、セクタ＃２乃至＃５に記録される。
【０１０２】
以上から、Ｎa＝Ｎa＝１の場合に得られる音声年輪データと画像年輪データ、即ち、再生時刻Ｔsa×Ｎa以前の最近の音声年輪データと、その再生時刻Ｔsa×Ｎaに等しい再生時刻Ｔsv×Ｎv以前の最近の画像年輪データ、つまりは、同じような再生時間帯の音声年輪データと画像年輪データは、光ディスク１１の隣接する位置に配置されて記録される。
【０１０３】
ステップＳ２６において、上述のように、注目画像年輪データの記録制御が行われた後は、ステップＳ２７に進み、制御部２０は、変数Ｎvを１だけインクリメントし、ステップＳ２２に戻り、それ以降の処理を繰り返す。
【０１０４】
一方、ステップＳ２３において、画像データVがメモリ１８に供給されていないと判定された場合、即ち、データ変換部１９からメモリコントローラ１７への画像データVの供給が停止した場合、ステップＳ２８に進み、制御部２０は、メモリコントローラ１７を制御することにより、メモリ１８にいま残っている画像データVのすべてを読み出し、そのデータ量がセクタの整数倍の最小のデータ量となるように、画像データVに、パディング用のパディングデータを付加する。これにより、メモリ１８から読み出した画像データVが、セクタの整数倍のデータ量の画像年輪データとされる。さらに、制御部２０は、その画像年輪データを、メモリコントローラ１７から信号処理部１６に供給させ、これにより、そのセクタの整数倍のデータ量の画像年輪データが、その整数倍の数のセクタに記録されるように記録制御を行う。
【０１０５】
その後、ステップＳ２９に進み、制御部２０は、変数Ｎvに、無限大に相当する値をセットして、画像データ記録タスクを終了する。
【０１０６】
次に、図５の音声データ記録タスクと図８の画像データ記録タスクの処理を、Ｎa＝Ｎv＝２のときを例として再度説明する。なお、ここでも、説明を簡単にするため、音声年輪サイズＴsaと画像年輪サイズＴsvは、同一の時間であるものとする。
【０１０７】
いまの場合、音声年輪サイズＴsaと画像年輪サイズＴsvが等しいので、Ｎa＝Ｎv＝２のときは、図５のステップＳ１２において、再生時刻Ｔsa×Ｎaが、再生時刻Ｔsv×Ｎv以下であると判定され、ステップＳ１３に進む。ここで、Ｎa＝Ｎv＝２のときは、再生時刻Ｔsa×ＮaとＴsv×Ｎvとが等しいので、再生時刻Ｔsa×Ｎaは、再生時刻Ｔsv×Ｎv以下ではあるが、再生時刻Ｔsv×Ｎvは、再生時刻Ｔsa×Ｎa未満ではない。従って、Ｎa＝Ｎv＝２のときは、図８のステップＳ２２において、再生時刻Ｔsv×Ｎvは、再生時刻Ｔsa×Ｎa未満ではないと判定され、ステップＳ２２に戻ることが繰り返される。
【０１０８】
図５のステップＳ１２において、再生時刻Ｔsa×Ｎaが、再生時刻Ｔsv×Ｎv以下であると判定され、ステップＳ１３に進んだ場合、メモリ１８への音声データAの供給が継続して行われていれば、ステップＳ１３から、ステップＳ１４に進み、メモリ１８に、通算して、時間Ｔsa×Ｎa（＝２）分の再生に必要な音声データAが記憶されたか否かが判定され、記憶されたと判定された場合、処理は、ステップＳ１５に進む。
【０１０９】
ここで、図６に示した場合では、時間Ｔsa×２だけの再生に必要な音声データAのデータ量はAN2’であり、従って、通算して、データ量AN2’分の音声データAがメモリ１８に記憶された場合に、処理は、ステップＳ１４からＳ１５に進む。
【０１１０】
ステップＳ１５では、いまメモリ１８には、少なくとも、Ｎa＝１のときのステップＳ１５で読み出されなかった音声データA（図６の例では、データ量Aα1分の音声データA）と、Ｎa＝１のときのステップＳ１５の後からいままでに、メモリ１８に供給されて記憶された音声データAとが記憶されているので、その音声データAのうちの、セクタの整数倍の最大のデータ量の音声データAが、注目音声年輪データとして読み出されることにより抽出される。
【０１１１】
即ち、例えば、図６に示した場合では、時刻Ｔsa×２において、２つのセクタのデータ量以上であるが、３つのセクタのデータ量未満のデータ量の音声データAが、メモリ１８に記憶されている。このため、ステップＳ１５では、メモリ１８に記憶された音声データAのうちの、セクタの整数倍の最大のデータ量である、２つのセクタのデータ量AN2(=2×Su)の音声データAが、注目音声年輪データとして抽出される。なお、図６では、時刻が２×Ｔsaにおいて、メモリ１８に記憶された音声データAのデータ量が、２つのセクタのデータ量AN2に等しくなっており、従って、２つのセクタのデータ量AN2が抽出されることによりメモリ１８に残る音声データAは、ない状態になっている。
【０１１２】
この２つのセクタのデータ量AN2の注目音声年輪データは、ステップＳ１６において、メモリコントローラ１７から信号処理部１６に供給される。そして、この２つのセクタのデータ量AN2の注目音声年輪データは、ピックアップ部１３に供給され、直前にデータが記録されたセクタの直後のセクタから記録される。
【０１１３】
即ち、いまの場合、２つのセクタのデータ量AN2の注目音声年輪データの直前には、図７で説明したように、セクタ＃２乃至＃５に、画像年輪データが記録されたから、２つのセクタのデータ量AN2の注目音声年輪データは、セクタ＃５の直後のセクタ＃６から記録される。具体的には、図７に示すように、２つのセクタのデータ量AN2の注目音声年輪データは、２つのセクタ＃６と＃７に、音声年輪データの境界と、光ディスク１１のセクタ＃６および＃７の領域の境界とが一致するように記録される。
【０１１４】
注目音声年輪データの記録が行われると、図５の音声データ記録タスクでは、ステップＳ１７において、変数Ｎaが１だけインクリメントされ、これにより、２であった変数Ｎaは３となる。
【０１１５】
従って、Ｎa＝３，Ｎv＝２となるが、この場合、再生時刻Ｔsv×Ｎvが、再生時刻Ｔsa×Ｎa未満となるので、図８の画像データ記録タスクでは、ステップＳ２２において、再生時刻Ｔsv×Ｎvが、再生時刻Ｔsa×Ｎa未満であると判定され、ステップＳ２３に進む。
【０１１６】
図８のステップＳ２２において、再生時刻Ｔsv×Ｎvが、再生時刻Ｔsa×Ｎa未満であると判定され、ステップＳ２３に進んだ場合、メモリ１８への画像データVの供給が継続して行われていれば、ステップＳ２３から、ステップＳ２４に進み、メモリ１８に、通算して、時間Ｔsv×Ｎv（＝２）分の再生に必要な画像データVが記憶されたか否かが判定され、記憶されたと判定された場合、処理は、ステップＳ２５に進む。
【０１１７】
ここで、図９に示した場合では、時間Ｔsv×２だけの再生に必要な画像データVのデータ量はVN2’であり、従って、通算して、データ量VN2’分の画像データVがメモリ１８に記憶された場合に、処理は、ステップＳ２４からＳ２５に進む。
【０１１８】
ステップＳ２５では、いまメモリ１８には、少なくとも、Ｎv＝１のときのステップＳ２５で読み出されなかった画像データV（図９の例では、データ量Vα1分の画像データV）と、Ｎv＝１のときのステップＳ２５の後からいままでに、メモリ１８に供給されて記憶された画像データVとが記憶されているので、その画像データVのうちの、セクタの整数倍の最大のデータ量の画像データVが、注目画像年輪データとして読み出されることにより抽出される。
【０１１９】
即ち、例えば、図９に示した場合では、時刻Ｔsv×２において、２つのセクタのデータ量以上であるが、３つのセクタのデータ量未満のデータ量の画像データVが、メモリ１８に記憶されている。このため、ステップＳ２５では、メモリ１８に記憶された画像データVのうちの、セクタの整数倍の最大のデータ量である、２つのセクタのデータ量VN2(=2×Su)の画像データVが、注目画像年輪データとして抽出される。なお、図９では、時刻が２×Ｔsvにおいて、メモリ１８に記憶された画像データVのデータ量が、２つのセクタのデータ量VN2より大となっており、このため、２つのセクタのデータ量VN2が抽出されることにより、データ量Vα2の画像データVが、メモリ１８に残っている。
【０１２０】
この２つのセクタのデータ量VN2の注目画像年輪データは、ステップＳ２６において、メモリコントローラ１７から信号処理部１６に供給される。そして、この２つのセクタのデータ量VN2の注目画像年輪データは、ピックアップ部１３に供給され、直前にデータが記録されたセクタの直後のセクタから記録される。
【０１２１】
即ち、いまの場合、２つのセクタのデータ量AN2の注目画像年輪データの直前には、図７で説明したように、セクタ＃６および＃７に、音声年輪データが記録されたから、２つのセクタのデータ量VN2の注目画像年輪データは、セクタ＃７の直後のセクタから記録される。
【０１２２】
注目画像年輪データの記録が行われると、図８の画像データ記録タスクでは、ステップＳ２７において、変数Ｎvが１だけインクリメントされ、これにより、２であった変数Ｎvは、変数Ｎaと同一の３となる。
【０１２３】
以下同様にして、音声データ記録タスクと画像データ記録タスクの処理が行われ、音声データAと画像データVが、光ディスク１１に記録される。これにより、例えば、音声年輪サイズＴsaと画像年輪サイズＴsvが同一の時間である場合には、同じような再生時間帯の音声データAのまとまりである音声年輪データと、画像データVのまとりまりである画像年輪データとが、図１０に示すように、光ディスク１１の隣接した位置に配置されるように、順次記録される。即ち、この場合、同じような再生時間帯の音声年輪データと画像年輪データとが、光ディスク１１に、交互に記録される。
【０１２４】
ここで、図１０は、上述したようにして、音声データと画像データが記録された光ディスク１１のトラックを模式的に示している。なお、図１０では（後述する図１１においても同様）、音声データの記録部分を、影を付して示してあり、画像データの記録部分を、特に模様を付さずに示してある。
【０１２５】
図１０から、光ディスク１１には、木の年輪を形成するかのように、画像データと音声データが記録される。このことから、光ディスク１１に記録される音声データや画像データのひとまとまりを、音声「年輪」データや画像「年輪」データと呼んでいる。後述するローレゾ年輪データやメタ年輪データについても、同様である。なお、以下、適宜、木の年輪を形成するかのように、光ディスク１１に記録される、あるデータ系列の中のデータのまとまりを、年輪データという。
【０１２６】
ここで、光ディスク１１に形成される年輪の幅（ある１つの音声年輪データや画像年輪データが、幾つのトラックに亘って記録されるか）は、音声年輪サイズＴsaと画像年輪サイズＴsvによって決定される。なお、音声年輪サイズＴsaや画像年輪サイズＴsvは、音声年輪データや画像年輪データを記録する光ディスク１１の半径位置に応じて変化させることができる。そして、音声年輪サイズＴsaや画像年輪サイズＴsvによっては、１つの音声年輪データや画像年輪データが記録されるトラックが、１周分に満たないケースが生じる。
【０１２７】
以上のように、同じような再生時間帯の音声年輪データと画像年輪データが、光ディスク１１上の近い位置に記録されるので、光ディスク１１から、同一の再生時刻の音声データと画像データを、迅速に読み出して再生することが可能となる。
【０１２８】
また、音声データと画像データは、複数のセクタのデータ量分の年輪データととされ、その複数のセクタに、年輪データの境界とセクタの境界とが一致するように記録されるので、光ディスク１１から、音声データまたは画像データだけを読み出すことが可能となり、その結果、音声データまたは画像データだけの編集処理を迅速に行うことが可能となる。
【０１２９】
さらに、上述の場合には、光ディスク１１には、セクタのデータ量以上の画像データVと画像データVが、交互に、１個以上のセクタにまとめて、連続して記録されるので、図１１の点線の矢印で示されるようなシークの回数を、従来のような小さな画像データVと画像データVが１つのセクタに混在して配置されている場合に比べて減らすことができる。シークの回数が減るということは、その分、光ディスク１１からのデータの実質的な読み出しレートを向上させることができ、その結果、再生時には、メモリ１８に、光ディスク１１から読み出されたデータを十分に蓄えておくことができる。これにより、シークが生じることにより、メモリ１８がアンダフローして、再生が途切れることを防止することができる。さらに、光ディスク１１からのデータの読み出しに失敗した場合に、メモリ１８に、十分なデータが蓄えられている結果、読み出しに失敗したデータの読み出しのリトライを行っても、再生が途切れることを防止することができる。また、シーク回数が減少した分だけ消費電力を節約することができる。
【０１３０】
なお、以上においては、メモリ１８に圧縮符号化された音声データVまたは画像データVを記憶する場合を例として説明したが、圧縮符号化せずにメモリ１８に記憶するようにすることもできる。
【０１３１】
また、以上においては、画像データVおよび画像データVを、螺旋状のトラックに配置する場合を例として説明したが、図１２に示されるように、同心円状のトラックに交互に配置することもできる。この場合、各トラックは、内周側のトラックから隣接する外周側のトラックに連続することになる。
【０１３２】
ところで、例えば、音声年輪サイズＴsaと画像年輪サイズＴsvとが、同一の再生時間であるとすると、図８のフローチャートに示した画像データ記録タスクによれば、例えば、Ｎv＝１のときにステップＳ２６で行われる画像年輪データの信号処理部１６への転送は、図５のフローチャートに示した音声データの記録タスクのステップＳ１６において、Ｎa＝１のときに、音声年輪データの信号処理部１６への転送が行われた後、ステップＳ１７において、変数Ｎaが１から２にインクリメントされてから行われる。
【０１３３】
即ち、図１３は、光ディスク１１へのデータの記録時に、メモリ１８に記憶される音声データAの通算データ量Ｌａおよび画像データVの通算データ量Ｌｖ、並びにメモリ１８から読み出される音声データAの通算データ量Ｌａ’および画像データVの通算データ量Ｌｖ’を示している。
【０１３４】
上述したように、Ｎv＝１のときにステップＳ２６で行われる画像年輪データの信号処理部１６への転送は、Ｎa＝１のときにステップＳ１６で行われる音声年輪データの信号処理部１６への転送の後に行われる。即ち、例えば、画像データVと、その画像データVに付随する音声データAとは、データ変換部１９からメモリコントローラ１７に同時に出力されるものとする。また、同一の時間である音声年輪サイズＴsaおよび画像年輪サイズＴsvを、ｔnと表すと、Ｎa＝Ｎv＝１のときの再生時刻ｔn1は、１×ｔnと表すことができる。この場合、再生時刻ｔn1となると、音声年輪データの信号処理部１６への転送が行われ、その転送の終了後、画像年輪データの信号処理部１６への転送が開始される。再生時刻ｔn1の経過後も、メモリ１８では、データ変換部１９からメモリコントローラ１７に供給される音声データAおよび画像データVの記憶が続行されているから、音声年輪データの信号処理部１６への転送の終了後に行われる画像年輪データの信号処理部１６への転送の開始時には、メモリ１８に、再生時刻ｔn1のときよりも多くのデータ量Ｍ1の画像データVが記憶される。
【０１３５】
Ｎa＝Ｎv＝２である場合の再生時刻ｔn2（＝２×ｔn）となったときに、音声年輪データの信号処理部１６への転送の後に行われる画像年輪データの信号処理部１６への転送の開始時においても、同様に、メモリ１８には、再生時刻ｔn2のときよりも多くのデータ量Ｍ2の画像データVが記憶される。
【０１３６】
従って、ある再生時刻において、信号処理部１６に転送することができるだけの画像データVがメモリ１８に記憶されているのにもかかわらず、その再生時刻において転送されない画像データVをメモリ１８に記憶してから、画像データVの転送が行われる。このことは、メモリ１８に、いわば余計な画像データVを記憶しているということができ、メモリ１８の記憶容量を圧迫することになる。
【０１３７】
そこで、例えば、音声データAのデータレート（図１３におけるＬａとＬａ’の傾き）が固定である場合には、メモリ１８に対する、あるデータ量の音声データAの読み書きに要する時間を求めることができるから、その時間を考慮して、図１４に示すように、例えば、再生時間ｔn（＝Ｔsa）分の音声データAが実際にメモリ１８に記憶される時刻ｔn1に、その音声データAの信号処理部１６への転送が完了するように、時間Ｔrだけ早く音声データAの転送を開始することができる。この場合、メモリ１８は、データ量Ｍ1より少ないデータ量Ｍ11の画像データVを記憶するだけで済むようになる。
【０１３８】
なお、図１４は、図１３の場合よりも、時間Ｔrだけ早く音声データAの転送を開始するようにしたときの、メモリ１８に記憶される音声データAの通算データ量Ｌａおよび画像データVの通算データ量Ｌｖ、並びにメモリ１８から読み出される音声データAの通算データ量Ｌａ’および画像データVの通算データ量Ｌｖ’を示している。
【０１３９】
Ｎa＝Ｎv＝２の場合も同様に、データ量Ｍ2より少ないデータ量Ｍ12の画像データVを、メモリ１８に記憶するだけで済むようにすることができ、さらに、ＮaおよびＮvが２よりも大きい整数値の場合も同様に、メモリ１８には、少ないデータ量の画像データを記憶させるだけで済むようにすることができる。
【０１４０】
以上のように、音声データAの信号処理部１６への転送開始を早めることで、メモリ１８に、より多くの空き領域を確保することができ、この場合、記録時のエラーリカバリ能力を高めることができる。
【０１４１】
即ち、例えば、メモリ１８から信号処理部１６に転送された音声データや画像データの光ディスク１１への記録に失敗した場合、再度、その記録を行うことが必要となるが、その再度の記録が行われている間も、音声データと画像データは、メモリ１８に供給されて記憶される。従って、メモリ１８に、より多くの空き領域を確保することができることによって、再度の記録が行われている間にメモリ１８に供給される音声データと画像データによって、メモリ１８がオーバフローすることを防止することができる。
【０１４２】
なお、画像データVが可変レートである場合には、画像データVのデータ量は、例えばフレームごとに異なる。また、メモリコントローラ１７を介しての、データ変換部１９からメモリ１８への転送レートが一定であるとすると、メモリ１８に記憶される画像データVの通算データ量Ｌｖは、例えば、図１５に示すように、階段状に変化する。ここで、図１５において、通算データ量Ｌｖを表す実線の右上がりの直線部分の傾きは、データ変換部１９からメモリ１８への転送レートに対応する。そして、この右上がりの直線部分が続く長さ（時間）は、各フレームの画像データVのデータ量による。即ち、データ量の多いフレームについては、右上がりの直線部分が続く長さが長くなり、逆に、データ量の少ないフレームについては、右上がりの直線部分が続く長さが短くなる。その結果、画像データの通算データ量Ｌｖは、いわばマクロ的に見れば、曲線によって表現される。
【０１４３】
また、以上においては、音声データAが記録された後、画像データVが記録される場合を例として説明したが、画像データVを記録した後、音声データAを記録するようにすることもできる。
【０１４４】
次に、図１６は、図２のデータ変換部１９の他の構成例を示している。なお、図中、図３における場合と対応する部分については、同一の符号を付してあり、以下では、その説明は、適宜省略する。即ち、図１６のデータ変換部１９は、メタデータ処理部５１、ローレゾデータ生成部５２、メタデータ処理部５３、およびローレゾデータ処理部５４が新たに設けられている他は、基本的に、図３における場合と同様に構成されている。
【０１４５】
図３の実施の形態においては、デマルチプレクサ４１が、信号入出力装置３１から供給される信号から、関連する複数のデータ系列として、例えば、動画の画像信号と、その画像信号に付随する音声信号とを分離するようになっていたが、図１６の実施の形態では、デマルチプレクサ４１は、信号入出力装置３１から供給される信号から、関連する複数のデータ系列として、例えば、動画の画像信号およびその画像信号に付随する音声信号の他、その画像信号についてのメタデータも、さらに分離する。
【０１４６】
即ち、光ディスク１１へのデータの記録時においては、信号入出力装置３１は、上述したように、例えば、図示せぬビデオカメラで得られた信号を出力するが、このビデオカメラで得られる信号には、被写体の撮像を行うことにより得られる画像信号とその画像信号に付随する音声信号の他、その画像信号についてのメタデータも含まれており、図１６の実施の形態では、デマルチプレクサ４１は、そのような信号から、画像信号および音声信号の他、メタデータも分離する。
【０１４７】
ここで、メタデータとしては、画像信号に対して、フレームごと等に付されるタイムコードや、UMID(Unique Material Identifier)、ビデオカメラによる撮像が行われた位置を表すGPS(Global Positioning System)の情報、その撮像が行われた日時（年、月、日、時、分、秒）、ARIB(Association of Radio Industries and Businesses)メタデータ、撮像が行われたビデオカメラの設定／制御情報などがある。なお、ARIBメタデータとは、ARIBで標準化され、SDI(Serial Digital Interface)等の標準の通信インタフェースに重畳されるメタデータである。また、ビデオカメラの設定／制御情報とは、例えば、IRIS（アイリス）制御値や、ホワイトバランス／ブラックバランスのモード、レンズのズームやフォーカスなどに関するレンズ情報などである。
【０１４８】
デマルチプレクサ４１で得られる画像信号、音声信号、およびメタデータは、データ量検出部４２に供給される。データ量検出部４２は、デマルチプレクサ４１から供給される画像信号、音声信号、メタデータを、そのまま、画像信号変換部４３、音声信号変換部４４、メタデータ処理部５１にそれぞれ供給するとともに、その画像信号、音声信号、メタデータそれぞれのデータ量を検出し、メモリコントローラ１７に供給する。即ち、データ量検出部４２は、デマルチプレクサ４１から供給される画像信号、音声信号、メタデータそれぞれについて、例えば、所定の再生時間分のデータ量を検出し、メモリコントローラ１７に供給する。
【０１４９】
また、データ量検出部４２は、デマルチプレクサ４１から供給される画像信号、さらには、必要に応じて音声信号を、ローレゾデータ生成部５２に供給する。
【０１５０】
メタデータ処理部５１は、データ量検出部４２を介して供給されるメタデータの各構成要素（タイムコードや撮像が行われた日時など）を、必要に応じて配置し直し、その結果得られるメタデータのデータ系列を、メモリコントローラ１７に供給する。
【０１５１】
ローレゾデータ生成部５２は、そこに供給されるデータのデータ量を少なくしたデータであるローレゾデータのデータ系列を生成し、メモリコントローラ１７に供給する。
【０１５２】
即ち、ローレゾデータ生成部５２は、データ量検出部４２を介して供給される画像信号の各フレームの画素数を間引く等することによって、画素数の少ないフレームの画像信号である少画像信号を生成する。さらに、ローレゾデータ生成部５２は、その少画像信号を、例えば、MPEG4方式でエンコードし、そのエンコード結果を、ローレゾデータとして出力する。
【０１５３】
なお、ローレゾデータ生成部５２では、データ量検出部４２を介して供給される音声信号、あるいは、その音声信号のサンプルを間引く等することによってデータ量を少なくした音声信号を、ローレゾデータに含めて（例えば、フレーム単位等で、少画像信号に多重化した形で）出力するようにすることが可能である。以下では、ローレゾデータには、音声信号が含まれるものとする。
【０１５４】
ここで、画像信号変換部４３が出力する画像データのデータ系列および音声信号変換部４４が出力する音声データと、ローレゾデータ生成部５２が出力するローレゾデータのデータ系列とは、同一内容の画像および音声のデータ系列であるが、画像信号変換部４３が出力する画像データおよび音声信号変換部４４が出力する音声データは、いわば本来的に、ユーザに提供されるべきものであり、このことから、画像信号変換部４３が出力する画像データおよび音声信号変換部４４が出力する音声データを、以下、適宜、本線データという。
【０１５５】
ローレゾデータは、上述したように、本線データと同一内容の画像および音声のデータではあるが、そのデータ量が少ない。従って、ある再生時間の再生を行うとした場合、ローレゾデータは、本線データに比較して、光ディスク１１から短時間で読み出すことができる。
【０１５６】
なお、本線データのデータレートとしては、例えば、２５Mbps(Mega bit per second)程度を採用することができる。この場合、ローレゾデータのデータレートとしては、例えば、３Mbps程度を採用することができる。さらに、この場合、メタデータのデータレートとして、例えば、２Mbps程度を採用することとすると、光ディスク１１に記録するデータ全体のデータレートは、３０（＝２５＋３＋２）Mbps程度となる。従って、光ディスク１１（をドライブするディスク記録再生装置１０）としては、例えば、35Mbpsなどの記録レートを有する、十分実用範囲内のものを採用することが可能である。
【０１５７】
以上のように、図１６のデータ変換部１９では、本線データ（画像データおよび音声データ）のデータ系列の他、メタデータとローレゾデータのデータ系列も、メモリコントローラ１７に供給される。そして、メモリコントローラ１７に供給された本線データ、メタデータ、およびローレゾデータは、光ディスク１１に供給されて記録される。
【０１５８】
一方、光ディスク１１からのデータの再生時においては、光ディスク１１から、必要に応じて、本線データ、メタデータ、またはローレゾデータが読み出される。そして、本線データを構成する画像データと音声データは、画像データ変換部４５と音声データ変換部４６にそれぞれ供給され、図３における場合と同様に、画像信号と音声信号にデコードされて、マルチプレクサ４７に供給される。
【０１５９】
また、メタデータとローレゾデータは、メタデータ処理部５３とローレゾデータ処理部５４に供給される。メタデータ処理部５３は、そこに供給されるメタデータの各構成要素の配置位置を必要に応じて変更し、マルチプレクサ４７に供給する。ローレゾデータ処理部５４は、そこに供給されるローレゾデータをデータ量の少ない画像信号と音声信号にデコードし、デマルチプレクサ４７に供給する。
【０１６０】
マルチプレクサ４７は、画像データ変換部４５から供給される画像信号、音声データ変換部４６から供給される音声信号、メタデータ処理部５３から供給されるメタデータ、ローレゾデータ処理部５４から供給されるデータ量の少ない画像信号および音声信号を、信号入出力装置３１に供給する。なお、マルチプレクサ４７では、画像データ変換部４５から供給される画像信号、音声データ変換部４６から供給される音声信号、メタデータ処理部５３から供給されるメタデータ、ローレゾデータ処理部５４から供給されるデータ量の少ない画像信号および音声信号を多重化して出力するようにすることも、それぞれの信号（データ）を、独立に、並列して出力するようにすることも可能である。
【０１６１】
次に、図１７のフローチャートを参照して、データ変換部１９が図１６に示したように構成される場合の、制御部２０が行う記録処理について説明する。
【０１６２】
操作部２１が操作されることによって、記録処理開始を指令する旨の操作信号が、操作部２１から制御部２０に供給されると、制御部２０は、記録処理を開始する。
【０１６３】
即ち、制御部２０は、まず最初に、ステップＳ３１において、音声年輪サイズＴsaおよび画像年輪サイズＴsv、さらには、ローレゾ年輪サイズＴslとメタ年輪サイズＴsmを設定する。
【０１６４】
ここで、ローレゾ年輪サイズＴslは、光ディスク１１にひとまとめで配置して記録するローレゾデータのデータ量を決定する変数で、例えば、上述の音声年輪サイズＴsaおよび画像年輪サイズＴsvと同様に、そのローレゾデータの元となった画像信号（または音声信号）の再生時間によって表される。メタ年輪サイズＴsも、同様に、光ディスク１１にひとまとめで配置して記録するメタデータのデータ量を決定する変数で、例えば、上述の音声年輪サイズＴsaおよび画像年輪サイズＴsvと同様に、そのメタデータによって各種の情報（例えば、画像の撮像が行われた日時など）が説明される画像信号（または音声信号）の再生時間によって表される。
【０１６５】
なお、ローレゾ年輪サイズＴslとメタ年輪サイズＴsmを、例えば、ビット数やバイト数などのデータ量そのものによって表すのではなく、再生時間によって、いわば間接的に表すようにしたのは、上述した音声年輪サイズＴsaと画像年輪サイズＴsvにおける場合と同様の理由による。
【０１６６】
即ち、図１７の記録処理によれば、後述するように、音声データAの系列から抽出された音声年輪サイズＴsaに基づくデータ量ごとの音声データのまとまりである音声年輪データと、画像データVの系列から抽出された画像年輪サイズＴsvに基づくデータ量ごとの画像データのまとまりである画像年輪データの他、ローレゾデータのデータ系列から抽出されたローレゾ年輪サイズＴslに基づくデータ量ごとのローレゾデータのまとまりであるローレゾ年輪データと、メタデータのデータ系列から抽出されたメタ年輪サイズＴsmに基づくデータ量ごとのメタデータのまとまりであるメタ年輪データも、光ディスク１１に周期的に配置されて記録される。
【０１６７】
このように、光ディスク１１に、音声年輪データ、画像年輪データ、ローレゾ年輪データ、メタ年輪データが周期的に配置されて記録される場合、ローレゾ年輪データは、音声年輪データや画像年輪データのデータ量を少なくしたものであるから、ある再生時間帯の音声年輪データおよび画像年輪データと、その再生時間帯の音声年輪データや画像年輪データのデータ量を少なくしたローレゾ年輪データとは、光ディスク１１上の近い位置に記録すべきである。さらに、メタ年輪データは、音声年輪データや画像年輪データに関する情報を表すものであるから、やはり、ある再生時間帯の音声年輪データおよび画像年輪データと、その再生時間帯の音声年輪データや画像年輪データに関する情報を表すメタ年輪データとは、光ディスク１１上の近い位置に記録すべきである。
【０１６８】
しかしながら、同一の再生時間分の音声データAや画像データVのデータレートと、ローレゾデータやメタデータのデータレートとを比較した場合、音声データAや画像データVのデータレートに比較して、ローレゾデータやメタデータのデータレートは小である。
【０１６９】
従って、ローレゾ年輪サイズＴslとメタ年輪サイズＴsmを、データ量で表すと、上述した音声年輪サイズＴsaおよび画像年輪サイズＴsvをデータ量で表した場合と同様に、同じような再生時間帯に再生されるべき音声データ、画像データ、ローレゾデータ、およびメタデータを、光ディスク１１上の近い位置に配置することが困難となる不都合が生じる。
【０１７０】
そこで、図１７の実施の形態では、ローレゾ年輪サイズＴslとメタ年輪サイズＴsmも、音声年輪サイズＴsaおよび画像年輪サイズＴsvと同様に、再生時間で表し、これにより、同じような再生時間帯に再生されるべき音声データ、画像データ、ローレゾデータ、およびメタデータを、光ディスク１１上の近い位置に配置することができるようにしている。
【０１７１】
なお、ステップＳ３１で設定する音声年輪サイズＴsa、画像年輪サイズＴsv、ローレゾ年輪サイズＴsl、およびメタ年輪サイズＴsmの値は、あらかじめ定められた固定の値でも良いし、可変の値でも良い。音声年輪サイズＴsaや、画像年輪サイズＴsv、ローレゾ年輪サイズＴsl、メタ年輪サイズＴsmの値を可変とする場合には、その可変の値は、例えば、操作部２１を操作することによって入力するようにすることができる。
【０１７２】
ステップＳ３１の処理後は、ステップＳ３２に進み、制御部２０は、図４のステップＳ２における場合と同様に、データ変換部１９を制御して、信号入出力装置３１からディスク記録再生装置１０に供給される音声信号と画像信号を圧縮符号化して、音声データAの系列と画像データVの系列とする音声信号変換処理と画像信号変換処理をそれぞれ開始させるとともに、メモリコントローラ１７を制御して、データ変換部１９で得られた音声データAと画像データVをメモリ１８に供給して記憶させる音声データ記憶処理と画像データ記憶処理をそれぞれ開始させる。さらに、ステップＳ３２では、制御部２０は、データ変換部１９を制御して、信号入出力装置３１からディスク記録再生装置１０に供給されるメタデータの系列を処理するメタデータ処理と、信号入出力装置３１からディスク記録再生装置１０に供給される音声信号と画像信号からローレゾデータの系列を生成するローレゾデータ生成処理とを開始させるとともに、メモリコントローラ１７を制御して、データ変換部１９で得られたメタデータとローレゾデータをメモリ１８に供給して記憶させるメタデータ記憶処理とローレゾデータ記憶処理をそれぞれ開始させる。
【０１７３】
そして、ステップＳ３３，Ｓ３４に順次進み、制御部２０は、ステップＳ３３において、音声データAを光ディスク１１に記録させる制御タスクである音声データ記録タスクを開始するとともに、ステップＳ３４において、画像データVを光ディスク１１に記録させる制御タスクである画像データ記録タスクを開始し、ステップＳ３５に進む。ステップＳ３５では、制御部２０は、ローレゾデータを光ディスク１１に記録させる制御タスクであるローレゾデータ記録タスクを開始し、ステップＳ３６に進む。ステップＳ３６では、制御部２０は、メタデータを光ディスク１１に記録させる制御タスクであるメタデータ記録タスクを開始し、ステップＳ３７に進む。なお、ステップＳ３３における音声データ記録タスク、ステップＳ３４における画像データ記録タスク、ステップＳ３５におけるローレゾデータ記録タスク、およびステップＳ３６におけるメタデータ記録タスクの詳細については、後述する。
【０１７４】
ステップＳ３７では、制御部２０は、操作部２１から、データの記録の終了を指令する操作信号が供給されたかどうかを判定し、供給されていないと判定した場合、ステップＳ３８に進み、制御部２０は、すべての記録タスクが終了したかどうかを判定する。ステップＳ３８おいて、すべての記録タスクが終了していないと判定された場合、ステップＳ３７に戻り、以下、同様の処理が繰り返される。
【０１７５】
また、ステップＳ３８において、すべての記録タスクが終了したと判定された場合、即ち、ステップＳ３３で開始された音声データ記録タスク、ステップＳ３４で開始された画像データ記録タスク、ステップＳ３５で開始されたローレゾデータ記録タスク、およびステップＳ３６で開始されたメタデータ記録タスクのすべてが終了している場合、記録処理を終了する。
【０１７６】
一方、ステップＳ３７において、データの記録の終了を指令する操作信号が供給されたと判定された場合、即ち、例えば、ユーザが、データの記録を終了するように、操作部２１を操作した場合、ステップＳ３９に進み、制御部２０は、ステップＳ３２で開始させた音声信号変換処理、画像信号変換処理、メタデータ処理、およびローレゾデータ生成処理、並びに音声データ記憶処理、画像データ記憶処理、メタデータ記憶処理、およびローレゾデータ記憶処理を終了させ、ステップＳ４０に進む。
【０１７７】
ステップＳ４０では、ステップＳ３８における場合と同様に、すべての記録タスクが終了したかどうかを判定する。ステップＳ４０において、すべての記録タスクが終了していないと判定された場合、ステップＳ４０に戻り、以下、同様の処理が繰り返される。
【０１７８】
また、ステップＳ４０において、すべての記録タスクが終了したと判定された場合、即ち、ステップＳ３３で開始された音声データ記録タスク、ステップＳ３４で開始された画像データ記録タスク、ステップＳ３５で開始されたローレゾデータ記録タスク、およびステップＳ３６で開始されたメタデータ記録タスクのすべてが終了した場合、記録処理を終了する。
【０１７９】
次に、図１８のフローチャートを参照して、図１７のステップＳ３３で開始される音声データ記録タスクについて説明する。
【０１８０】
音声データ記録タスクが開始されると、まず最初に、ステップＳ５１において、制御部２０は、後で行われるステップＳ５７の処理で、１ずつインクリメントされる変数Ｎaを、例えば１に初期化し、ステップＳ５２に進む。
【０１８１】
ステップＳ５２では、制御部２０は、図５のステップＳ１２における場合と同様に、Ｔsa×Ｎaが、Ｔsv×Ｎv以下であるかどうかを判定し、さらに、Ｔsa×Ｎaが、Ｔsl×Ｎl以下で、かつＴsm×Ｎm以下であるかどうかを判定する。
【０１８２】
ここで、Ｔslは、ローレゾ年輪サイズであり、変数Ｎlは、後述するように、ローレゾデータ記録タスクにおいて、ローレゾ年輪サイズＴseに基づくデータ量のローレゾデータ（ローレゾ年輪データ）が光ディスク１１に記録されるごとに、１ずつインクリメントされていく。さらに、Ｔsmは、メタ年輪サイズであり、変数Ｎmは、後述するように、メタデータ記録タスクにおいて、メタ年輪サイズＴsmに基づくデータ量のメタデータ（メタ年輪データ）が光ディスク１１に記録されるごとに、１ずつインクリメントされていく。従って、Ｔsl×Ｎlは、ローレゾデータを、ローレゾ年輪サイズＴse単位で記録していった場合に、これから光ディスク１１に記録しようとしているローレゾ年輪データの最後の再生時刻に相当し、Ｔsm×Ｎmは、メタデータを、メタ年輪サイズＴsm単位で記録していった場合に、これから光ディスク１１に記録しようとしているメタ年輪データの最後の再生時刻に相当する。
【０１８３】
一方、いま、音声年輪データ、画像年輪データ、ローレゾ年輪データ、およびメタ年輪データを、同じような再生時間帯のものが、光ディスク１１上の近い位置に記録されるように、周期的に配置するものとする。さらに、音声年輪データ、画像年輪データ、ローレゾ年輪データ、およびメタ年輪データについては、その再生時刻が早いものほど、光ディスク１１の前の位置（光ディスク１１に対するデータの読み書き順で、先の位置）に配置され、さらに、同じような再生時間帯の音声年輪データ、画像年輪データ、ローレゾ年輪データ、およびメタ年輪データについては、例えば、音声年輪データ、画像年輪データ、ローレゾ年輪データ、メタ年輪データの順番で、光ディスク１１のより前の位置に配置されるものとする。
【０１８４】
この場合、これから記録しようとする音声年輪データである注目音声年輪データは、再生時刻Ｔsa×Ｎa以前の最近の（再生時刻Ｔsa×Ｎaに最も近い）再生時間帯の音声年輪データとなるが、この注目音声年輪データは、再生時刻Ｔsa×Ｎa以前の最近の再生時間帯の画像年輪データ、ローレゾ年輪データ、およびメタ年輪データが記録される直前、つまり、再生時刻Ｔsa×Ｎa以前の２番目に新しい再生時間帯の画像年輪データ、ローレゾ年輪データ、およびメタ年輪データが記録された直後に記録する必要がある。
【０１８５】
ところで、これから記録される画像年輪データは、Ｔsv×Ｎv以前の最近の再生時間帯の画像年輪データである。また、これから記録されるローレゾ年輪データは、Ｔsl×Ｎl以前の最近の再生時間帯のローレゾ年輪データであり、これから記録されるメタ年輪データは、Ｔsm×Ｎm以前の最近の再生時間帯のメタ年輪データである。同じような再生時間帯の年輪データについては、上述したように、音声年輪データが、光ディスク１１のより前の位置に配置されるから、注目音声年輪データの記録は、音声年輪データの再生時刻Ｔsa×Ｎaが、画像年輪データの再生時刻Ｔsv×Ｎv以下となっており、さらに、ローレゾ年輪データの再生時刻Ｔsl×Ｎl以下であり、かつ、メタ年輪データの再生時刻Ｔsm×Ｎm以下となっているタイミングで行う必要がある。
【０１８６】
そこで、ステップＳ５２では、上述したように、音声年輪データの再生時刻Ｔsa×Ｎaが、画像年輪データの再生時刻Ｔsv×Ｎv以下であり、さらに、ローレゾ年輪データの再生時刻Ｔsl×Ｎl以下であり、かつ、メタ年輪データの再生時刻Ｔsm×Ｎm以下であるかどうかが判定され、これにより、現在のタイミングが、注目音声年輪データの記録を行うべきタイミングであるかどうかが判定される。
【０１８７】
ステップＳ５２において、音声年輪データの再生時刻Ｔsa×Ｎaが、画像年輪データの再生時刻Ｔsv×Ｎv、ローレゾ年輪データの再生時刻Ｔsl×Ｎl、またはメタ年輪データの再生時刻Ｔsm×Ｎmのうちのいずれか以下（以前）でないと判定された場合、即ち、現在のタイミングが、注目音声年輪データの記録を行うべきタイミングでない場合、ステップＳ５２に戻り、以下、同様の処理が繰り返される。
【０１８８】
また、ステップＳ５２において、音声年輪データの再生時刻Ｔsa×Ｎaが、画像年輪データの再生時刻Ｔsv×Ｎv、ローレゾ年輪データの再生時刻Ｔsl×Ｎl、およびメタ年輪データの再生時刻Ｔsm×Ｎmのすべての時刻以下であると判定された場合、即ち、現在のタイミングが、注目音声年輪データの記録を行うべきタイミングである場合、ステップＳ５３に進み、以下、ステップＳ５３乃至Ｓ５９において、図５のステップＳ１３乃至１９における場合とそれぞれ同様の処理が行われ、音声データ記録タスクを終了する。
【０１８９】
これにより、図１８の音声データ記録タスクでも、図５の音声データ記録タスクにおける場合と同様に、光ディスク１１の物理的単位領域としての、例えば、セクタの整数倍のデータ量の音声年輪データが、その整数倍の数のセクタに、音声年輪データの境界と、光ディスク１１のセクタの境界とが一致するように、周期的に記録される。
【０１９０】
次に、図１９のフローチャートを参照して、図１７のステップＳ３４で開始される画像データ記録タスクについて説明する。
【０１９１】
画像データ記録タスクが開始されると、まず最初に、ステップＳ６１において、制御部２０は、後で行われるステップＳ６７の処理で、１ずつインクリメントされる変数Ｎvを、例えば１に初期化し、ステップＳ６２に進む。
【０１９２】
ステップＳ６２では、制御部２０は、Ｔsv×Ｎvが、Ｔsa×Ｎa未満であり、さらに、Ｔsv×Ｎvが、Ｔsl×Ｎl以下で、かつＴsm×Ｎm以下であるかどうかを判定する。
【０１９３】
ここで、上述したように、Ｔsa×Ｎaは、音声データを、音声年輪サイズＴsa単位で記録していった場合に、これから光ディスク１１に記録しようとしている音声年輪データの最後の再生時刻に相当し、Ｔsv×Ｎvは、画像データを、画像年輪サイズＴsv単位で記録していった場合に、これから光ディスク１１に記録しようとしている画像年輪データの最後の再生時刻に相当する。そして、Ｔsv×Ｎvが、Ｔsa×Ｎa未満であるというのは、図８のステップＳ２２で説明したように、これから記録しようとする画像年輪データである注目画像年輪データを、再生時刻Ｔsa×Ｎa以前の最近の再生時間帯の音声年輪データが記録された直後に記録するための条件である。
【０１９４】
さらに、Ｔsv×Ｎvが、Ｔsl×Ｎl以下であるというのは、図１８のステップＳ５２における場合と同様に、これから記録しようとする画像年輪データである注目画像年輪データ、即ち、再生時刻Ｔsv×Ｎv以前の最近の（再生時刻Ｔsv×Ｎvに最も近い）再生時間帯の画像年輪データを、再生時刻Ｔsv×Ｎv以前の最近の再生時間帯のローレゾ年輪データ直前、つまり、再生時刻Ｔsv×Ｎv以前の２番目に新しい再生時間帯のローレゾ年輪データが記録された直後に記録するための条件である。
【０１９５】
また、Ｔsv×Ｎvが、Ｔsm×Ｎm以下であるというのは、図１８のステップＳ５２における場合と同様に、これから記録しようとする画像年輪データである注目画像年輪データ、即ち、再生時刻Ｔsv×Ｎv以前の最近の再生時間帯の画像年輪データを、再生時刻Ｔsv×Ｎv以前の最近の再生時間帯のメタ年輪データ直前、つまり、再生時刻Ｔsv×Ｎv以前の２番目に新しい再生時間帯のメタ年輪データが記録された直後に記録するための条件である。
【０１９６】
ステップＳ６２において、画像年輪データの再生時刻Ｔsv×Ｎvが、音声年輪データの再生時刻Ｔsa×Ｎa未満、ローレゾ年輪データの再生時刻Ｔsl×Ｎl以下、またはメタ年輪データの再生時刻Ｔsm×Ｎm以下のうちのいずれかではないと判定された場合、即ち、現在のタイミングが、注目画像年輪データの記録を行うべきタイミングでない場合、ステップＳ６２に戻り、以下、同様の処理が繰り返される。
【０１９７】
また、ステップＳ６２において、画像年輪データの再生時刻Ｔsv×Ｎvが、音声年輪データの再生時刻Ｔsa×Ｎa未満であり、さらに、ローレゾ年輪データの再生時刻Ｔsl×Ｎl以下であり、かつメタ年輪データの再生時刻Ｔsm×Ｎm以下であると判定された場合、即ち、現在のタイミングが、注目画像年輪データの記録を行うべきタイミングである場合、ステップＳ６３に進み、以下、ステップＳ６３乃至Ｓ６９において、図８のステップＳ２３乃至２９における場合とそれぞれ同様の処理が行われ、音声データ記録タスクを終了する。
【０１９８】
これにより、図１９の画像データ記録タスクでも、図８の画像データ記録タスクにおける場合と同様に、光ディスク１１の物理的単位領域としての、例えば、セクタの整数倍のデータ量の画像年輪データが、その整数倍の数のセクタに、画像年輪データの境界と、光ディスク１１のセクタの境界とが一致するように、周期的に記録される。
【０１９９】
次に、図２０のフローチャートを参照して、図１７のステップＳ３５で開始されるローレゾデータ記録タスクについて説明する。
【０２００】
ローレゾデータ記録タスクが開始されると、まず最初に、ステップＳ７１において、制御部２０は、後述するステップＳ７７の処理で、１ずつインクリメントされる変数Ｎlを、例えば１に初期化し、ステップＳ７２に進む。
【０２０１】
ステップＳ７２では、制御部２０は、Ｔsl×Ｎlが、Ｔsa×Ｎa未満であり、さらに、Ｔsl×Ｎlが、Ｔsv×Ｎv未満で、かつＴsm×Ｎm以下であるかどうかを判定する。
【０２０２】
ここで、Ｔsl×Ｎlが、Ｔsa×Ｎa未満であるというのは、図８のステップＳ２２で説明した場合と同様に、これから記録しようとするローレゾ年輪データである注目ローレゾ年輪データを、再生時刻Ｔsl×Ｎl以前の最近の再生時間帯の音声年輪データが記録された直後に記録するための条件である。また、Ｔsl×Ｎlが、Ｔsv×Ｎv未満であるというのは、やはり、図８のステップＳ２２で説明した場合と同様に、これから記録しようとするローレゾ年輪データである注目ローレゾ年輪データを、再生時刻Ｔsl×Ｎl以前の最近の再生時間帯の画像年輪データが記録された直後に記録するための条件である。
【０２０３】
さらに、Ｔsl×Ｎlが、Ｔsm×Ｎm以下であるというのは、図１８のステップＳ５２における場合と同様に、これから記録しようとするローレゾ年輪データである注目ローレゾ年輪データ、即ち、再生時刻Ｔsl×Ｎl以前の最近の（再生時刻Ｔsl×Ｎlに最も近い）再生時間帯のローレゾ年輪データを、再生時刻Ｔsl×Ｎl以前の最近の再生時間帯のメタ年輪データ直前、つまり、再生時刻Ｔsl×Ｎl以前の２番目に新しい再生時間帯のメタ年輪データが記録された直後に記録するための条件である。
【０２０４】
ステップＳ７２において、ローレゾ年輪データの再生時刻Ｔsl×Ｎlが、音声年輪データの再生時刻Ｔsa×Ｎa未満、画像年輪データの再生時刻Ｔsv×Ｎv未満、またはメタ年輪データの再生時刻Ｔsm×Ｎm以下のうちのいずれかではないと判定された場合、即ち、現在のタイミングが、注目ローレゾ年輪データの記録を行うべきタイミングでない場合、ステップＳ７２に戻り、以下、同様の処理が繰り返される。
【０２０５】
また、ステップＳ７２において、ローレゾ年輪データの再生時刻Ｔsl×Ｎlが、音声年輪データの再生時刻Ｔsa×Ｎa未満であり、さらに、画像年輪データの再生時刻Ｔsv×Ｎv未満であり、かつメタ年輪データの再生時刻Ｔsm×Ｎm以下であると判定された場合、即ち、現在のタイミングが、注目ローレゾ年輪データの記録を行うべきタイミングである場合、ステップＳ７３に進み、制御部２０は、データ変換部１９からメモリコントローラ１７を介して、メモリ１８に、ローレゾデータが供給されているか否かを判定し、供給されていると判定した場合、ステップＳ７４に進む。
【０２０６】
ステップＳ７４では、制御部２０は、メモリ１８に、通算して、ローレゾ年輪サイズＴsl×Ｎl分の再生に必要なローレゾデータが記憶されたか否かを判定し、まだ、その分のローレゾデータがメモリ１８に記憶されていないと判定された場合、ステップＳ７２に戻り、以下、同様の処理が繰り返される。また、ステップＳ７４において、再生時間Ｔsl×Ｎlに対応する分のローレゾデータがメモリ１８に記憶されたと判定された場合、ステップＳ７５に進む。
【０２０７】
なお、データ変換部１９のデータ量検出部４２は、通算して、再生時間Ｔsl×Ｎl分の再生に必要な画像信号および音声信号を検出したとき、その旨を、メモリコントローラ１７に通知する。メモリコントローラ１７は、その通知に基づいて、通算して、再生時間Ｔsl×Ｎl分の再生に必要なローレゾデータをメモリ１８に記憶したか否かの判定を行い、その判定結果を制御部２０に通知する。そして、制御部２０は、メモリコントローラ１７からのその判定結果に基づいて、ステップＳ７４における判定処理を行う。なお、本実施の形態では、画像信号等のデータ量を少なくした画像信号等を圧縮符号したものを、ローレゾデータとするようにしたが、その他、画像信号等のデータ量を少なくした画像信号等を、そのまま、ローレゾデータとするようにすることも可能である。
【０２０８】
ステップＳ７５では、制御部２０は、メモリコントローラ１７を制御して、メモリ１８に記憶されているローレゾデータから、光ディスク１１上に形成される物理的記録再生単位（物理的単位領域）としての、例えば１つのセクタのデータ量Suの整数倍（ｎ倍）のデータ量であって、メモリ１８から読み出すことのできる最大のデータ量のローレゾデータを、時間的に先に入力された方から読み出させることにより抽出し、ステップＳ７６に進む。
【０２０９】
なお、このセクタの整数倍のデータ量であって、メモリ１８から読み出すことのできる最大のデータ量のローレゾデータとして、メモリ１８から読み出されるローレゾ年輪データが、上述した、再生時刻Ｔsl×Ｎl以前の最近のローレゾ年輪データである。
【０２１０】
また、ステップＳ７５において読み出されなかったローレゾデータは、そのままメモリ１８に残される。
【０２１１】
ステップＳ７６では、制御部２０が、ステップＳ７５で得られた、セクタの整数倍のデータ量の注目ローレゾ年輪データを、メモリコントローラ１７から信号処理部１６に供給させ、これにより、そのセクタの整数倍のデータ量の注目ローレゾ年輪データが、その整数倍の数のセクタに記録されるように記録制御を行う。これにより、セクタの整数倍のデータ量のローレゾ年輪データが、その整数倍の数のセクタに、ローレゾ年輪データの境界と、光ディスク１１のセクタの境界とが一致するように記録される。
【０２１２】
その後、ステップＳ７７に進み、制御部２０は、変数Ｎlを１だけインクリメントし、ステップＳ７２に戻り、以下、同様の処理を繰り返される。
【０２１３】
一方、ステップＳ７３において、ローレゾデータがメモリ１８に供給されていないと判定された場合、即ち、データ変換部１９からメモリコントローラ１７へのローレゾデータの供給が停止した場合、ステップＳ７８に進み、制御部２０は、メモリコントローラ１７を制御することにより、メモリ１８にいま残っているローレゾデータのすべてを読み出し、セクタの整数倍の最小のデータ量となるように、パディング用のパディングデータを付加する。これにより、メモリ１８から読み出したローレゾデータが、セクタの整数倍のデータ量のローレゾ年輪データとされる。さらに、制御部２０は、そのローレゾ年輪データを、メモリコントローラ１７から信号処理部１６に供給させ、これにより、そのセクタの整数倍のデータ量のローレゾ年輪データが、その整数倍の数のセクタに記録されるように記録制御を行う。
【０２１４】
その後、ステップＳ７９に進み、制御部２０は、変数Ｎlに、無限大に相当する値をセットして、ローレゾデータ記録タスクを終了する。
【０２１５】
次に、図２１のフローチャートを参照して、図１７のステップＳ３６で開始されるメタデータ記録タスクについて説明する。
【０２１６】
メタデータ記録タスクが開始されると、まず最初に、ステップＳ８１において、制御部２０は、後述するステップＳ８７の処理で、１ずつインクリメントされる変数Ｎlを、例えば１に初期化し、ステップＳ８２に進む。
【０２１７】
ステップＳ８２では、制御部２０は、Ｔsm×Ｎmが、Ｔsa×Ｎa未満であり、さらに、Ｔsm×Ｎmが、Ｔsv×Ｎv未満で、かつＴsl×Ｎl未満であるかどうかを判定する。
【０２１８】
ここで、Ｔsm×Ｎmが、Ｔsa×Ｎa未満であるというのは、図８のステップＳ２２で説明した場合と同様に、これから記録しようとするメタ年輪データである注目メタ年輪データを、再生時刻Ｔsm×Ｎm以前の最近の再生時間帯の音声年輪データが記録された直後に記録するための条件である。また、Ｔsm×Ｎmが、Ｔsv×Ｎv未満であるというのは、やはり、図８のステップＳ２２で説明した場合と同様に、これから記録しようとするメタ年輪データである注目メタ年輪データを、再生時刻Ｔsm×Ｎm以前の最近の再生時間帯の画像年輪データが記録された直後に記録するための条件である。同様に、Ｔsm×Ｎmが、Ｔsl×Ｎl未満であるというのは、これから記録しようとするメタ年輪データである注目メタ年輪データを、再生時刻Ｔsm×Ｎm以前の最近の再生時間帯のローレゾ年輪データが記録された直後に記録するための条件である。
【０２１９】
ステップＳ８２において、メタ年輪データの再生時刻Ｔsm×Ｎmが、音声年輪データの再生時刻Ｔsa×Ｎa未満、画像年輪データの再生時刻Ｔsv×Ｎv未満、またはメタ年輪データの再生時刻Ｔsl×Ｎl未満のうちのいずれかではないと判定された場合、即ち、現在のタイミングが、注目メタ年輪データの記録を行うべきタイミングでない場合、ステップＳ８２に戻り、以下、同様の処理が繰り返される。
【０２２０】
また、ステップＳ８２において、メタ年輪データの再生時刻Ｔsm×Ｎmが、音声年輪データの再生時刻Ｔsa×Ｎa未満であり、さらに、画像年輪データの再生時刻Ｔsv×Ｎv未満でもあり、かつローレゾ年輪データの再生時刻Ｔsl×Ｎl未満であると判定された場合、即ち、現在のタイミングが、注目メタ年輪データの記録を行うべきタイミングである場合、ステップＳ８３に進み、制御部２０は、データ変換部１９からメモリコントローラ１７を介して、メモリ１８に、メタデータが供給されているか否かを判定し、供給されていると判定した場合、ステップＳ８４に進む。
【０２２１】
ステップＳ８４では、制御部２０は、メモリ１８に、通算して、メタ年輪サイズＴsm×Ｎm分の再生に必要なメタデータが記憶されたか否かを判定し、まだ、その分のメタデータがメモリ１８に記憶されていないと判定された場合、ステップＳ８２に戻り、以下、同様の処理が繰り返される。また、ステップＳ８４において、再生時間Ｔsm×Ｎmに対応する分のメタデータがメモリ１８に記憶されたと判定された場合、ステップＳ８５に進む。
【０２２２】
なお、データ変換部１９のデータ量検出部４２は、通算して、再生時間Ｔsm×Ｎm分の再生に必要な画像信号および音声信号を検出したとき、その旨を、メモリコントローラ１７に通知する。メモリコントローラ１７は、その通知に基づいて、通算して、再生時間Ｔsm×Ｎm分の再生に必要なメタデータをメモリ１８に記憶したか否かの判定を行い、その判定結果を制御部２０に通知する。そして、制御部２０は、メモリコントローラ１７からのその判定結果に基づいて、ステップＳ８４における判定処理を行う。
【０２２３】
ステップＳ８５では、制御部２０は、メモリコントローラ１７を制御して、メモリ１８に記憶されているメタデータから、光ディスク１１上に形成される物理的記録再生単位（物理的単位領域）としての、例えば１つのセクタのデータ量Suの整数倍（ｎ倍）のデータ量であって、メモリ１８から読み出すことのできる最大のデータ量のメタデータを、時間的に先に入力された方から読み出させることにより抽出し、ステップＳ８６に進む。
【０２２４】
なお、このセクタの整数倍のデータ量であって、メモリ１８から読み出すことのできる最大のデータ量のメタデータとして、メモリ１８から読み出されるメタ年輪データが、上述した、再生時刻Ｔsm×Ｎm以前の最近のメタ年輪データである。
【０２２５】
また、ステップＳ８５において読み出されなかったメタデータは、そのままメモリ１８に残される。
【０２２６】
ステップＳ８６では、制御部２０が、ステップＳ８５で得られた、セクタの整数倍のデータ量の注目メタ年輪データを、メモリコントローラ１７から信号処理部１６に供給させ、これにより、そのセクタの整数倍のデータ量の注目メタ年輪データが、その整数倍の数のセクタに記録されるように記録制御を行う。これにより、セクタの整数倍のデータ量のメタ年輪データが、その整数倍の数のセクタに、メタ年輪データの境界と、光ディスク１１のセクタの境界とが一致するように、周期的に記録される。
【０２２７】
その後、ステップＳ８７に進み、制御部２０は、変数Ｎmを１だけインクリメントし、ステップＳ８２に戻り、以下、同様の処理を繰り返される。
【０２２８】
一方、ステップＳ８３において、メタデータがメモリ１８に供給されていないと判定された場合、即ち、データ変換部１９からメモリコントローラ１７へのメタデータの供給が停止した場合、ステップＳ８８に進み、制御部２０は、メモリコントローラ１７を制御することにより、メモリ１８にいま残っているメタデータのすべてを読み出し、そのデータ量がセクタの整数倍の最小のデータ量となるように、メタデータに、パディング用のパディングデータを付加する。これにより、メモリ１８から読み出したメタデータが、セクタの整数倍のデータ量のメタ年輪データとされる。さらに、制御部２０は、そのメタ年輪データを、メモリコントローラ１７から信号処理部１６に供給させ、これにより、そのセクタの整数倍のデータ量のメタ年輪データが、その整数倍の数のセクタに記録されるように記録制御を行う。
【０２２９】
その後、ステップＳ８９に進み、制御部２０は、変数Ｎmに、無限大に相当する値をセットして、メタデータ記録タスクを終了する。
【０２３０】
なお、図１８の音声データ記録タスクにおけるステップＳ５２、図１９の画像データ記録タスクにおけるステップＳ６２、図２０のローレゾデータ記録タスクにおけるステップＳ７２、図２１のメタデータ記録タスクにおけるステップＳ８２それぞれの判定処理によって、同じような再生時間帯の音声年輪データ、画像年輪データ、ローレゾ年輪データ、およびメタ年輪データどうしが、音声年輪データ、画像年輪データ、ローレゾ年輪データ、メタ年輪データの順の優先順位で、光ディスク１１に周期的に記録される。
【０２３１】
但し、音声年輪データ、画像年輪データ、ローレゾ年輪データ、およびメタ年輪データを光ディスク１１に記録するときの優先順位は、上述した、音声年輪データ、画像年輪データ、ローレゾ年輪データ、メタ年輪データの順に限定されるものではない。
【０２３２】
次に、メモリコントローラ１７は、上述したように、メモリ１８からデータを読み出すことにより、音声年輪データ、画像年輪データ、ローレゾ年輪データ、メタ年輪データを抽出するが、この音声年輪データ、画像年輪データ、ローレゾ年輪データ、メタ年輪データを構成（抽出）する処理について、図２２乃至図２６を参照して、さらに説明する。
【０２３３】
図２２は、メモリ１８に記憶される音声データの通算のデータ量（通算データ量）Ｌａ、画像データの通算データ量Ｌｖ、ローレゾデータの通算データ量Ｌｌ、メタデータの通算データ量Ｌｍそれぞれと、時間（再生時間）ｔとの関係を示している。なお、図２２中（後述する図２３乃至図２６においても同様）、右側の上下方向を示す小さな矢印（水平方向の点線の間隔を示す矢印）は、セクタのデータ量Suを表している。
【０２３４】
上述したように、メモリコントローラ１７は、再生時間Ｔsa×Ｎaの再生に必要な音声データがメモリ１８に記憶されると、メモリ１８から読み出すことのできるセクタの整数倍の最大のデータ量の音声データを読み出し、そのセクタの整数倍の最大のデータ量の音声データを、音声年輪データとして抽出する。また、メモリコントローラ１７は、再生時間Ｔsv×Ｎvの再生に必要な画像データがメモリ１８に記憶されると、メモリ１８から読み出すことのできるセクタの整数倍の最大のデータ量の画像データを読み出し、そのセクタの整数倍の最大のデータ量の画像データを、画像年輪データとして抽出する。さらに、メモリコントローラ１７は、再生時間Ｔsl×Ｎlの再生に必要なローレゾデータがメモリ１８に記憶されると、メモリ１８から読み出すことのできるセクタの整数倍の最大のデータ量のローレゾデータを読み出し、そのセクタの整数倍の最大のデータ量のローレゾデータを、ローレゾ年輪データとして抽出する。また、メモリコントローラ１７は、再生時間Ｔsm×Ｎmの再生に必要なメタデータがメモリ１８に記憶されると、メモリ１８から読み出すことのできるセクタの整数倍の最大のデータ量のメタデータを読み出し、そのセクタの整数倍の最大のデータ量のメタデータを、メタ年輪データとして抽出する。
【０２３５】
従って、図２２に示したように、メモリ１８に記憶される音声データの通算データ量Ｌａが変化する場合には、メモリコントローラ１７は、図２３に示すように、時刻ｔが、音声年輪サイズＴsaの整数倍であるｉ×Ｔsaとなるタイミングで（ｉ＝１，２，・・・）、メモリ１８から読み出すことのできるセクタの整数倍の最大のデータ量の音声データを読み出し、そのセクタの整数倍の最大のデータ量の音声データを、音声年輪データとして抽出する。
【０２３６】
ここで、図２３の実施の形態では、時刻ｔが、Ｔsa，２×Ｔsa，３×Ｔsa，４×Ｔsaのタイミングにおいて、それぞれ、１セクタ、２セクタ、１セクタ、２セクタ分の音声データが、音声年輪データ＃１，＃２，＃３，＃４として抽出されている。
【０２３７】
また、図２２に示したように、メモリ１８に記憶される画像データの通算データ量Ｌｖが変化する場合には、メモリコントローラ１７は、図２４に示すように、時刻ｔが、画像年輪サイズＴsvの整数倍であるｉ×Ｔsvとなるタイミングで、メモリ１８から読み出すことのできるセクタの整数倍の最大のデータ量の画像データを読み出し、そのセクタの整数倍の最大のデータ量の画像データを、画像年輪データとして抽出する。
【０２３８】
ここで、図２４の実施の形態では、時刻ｔが、Ｔsv，２×Ｔsv，３×Ｔsv，４×Ｔsvのタイミングにおいて、それぞれ、４セクタ、２セクタ、５セクタ、２セクタ分の画像データが、画像年輪データ＃１，＃２，＃３，＃４として抽出されている。
【０２３９】
さらに、図２２に示したように、メモリ１８に記憶されるローレゾデータの通算データ量Ｌｌが変化する場合には、メモリコントローラ１７は、図２５に示すように、時刻ｔが、ローレゾ年輪サイズＴslの整数倍であるｉ×Ｔslとなるタイミングで、メモリ１８から読み出すことのできるセクタの整数倍の最大のデータ量のローレゾデータを読み出し、そのセクタの整数倍の最大のデータ量のローレゾデータを、ローレゾ年輪データとして抽出する。
【０２４０】
ここで、図２５の実施の形態では、時刻ｔが、Ｔsl，２×Ｔslのタイミングにおいて、それぞれ、１セクタ、３セクタ分のローレゾデータが、ローレゾ年輪データ＃１，＃２として抽出されている。
【０２４１】
また、図２２に示したように、メモリ１８に記憶されるメタデータの通算データ量Ｌｍが変化する場合には、メモリコントローラ１７は、図２６に示すように、時刻ｔが、メタ年輪サイズＴsmの整数倍であるｉ×Ｔsmとなるタイミングで、メモリ１８から読み出すことのできるセクタの整数倍の最大のデータ量のメタデータを読み出し、そのセクタの整数倍の最大のデータ量のメタデータを、メタ年輪データとして抽出する。
【０２４２】
ここで、図２６の実施の形態では、時刻ｔが、Ｔsm，２×Ｔsmのタイミングにおいて、いずれも、１セクタ分のメタデータが、メタ年輪データ＃１，＃２としてそれぞれ抽出されている。
【０２４３】
いま、図２３に示した音声年輪サイズＴsa、図２４に示した画像年輪サイズＴsv、図２５に示したローレゾ年輪サイズＴsl、および図２６に示したメタ年輪サイズＴsmについて、例えば、画像年輪サイズＴsvが、音声年輪サイズＴsaと等しく、ローレゾ年輪サイズＴslおよびメタ年輪サイズＴsmが、音声年輪サイズＴsaの２倍に等しいという関係があるとすると（２×Ｔsa＝２×Ｔsv＝Ｔsl＝Ｔsm）、図１８の音声データ記録タスク、図１９の画像データ記録タスク、図２０のローレゾデータ記録タスク、および図２１のメタデータ記録タスクによれば、図２３の音声年輪データ＃１乃至＃４、図２４の画像年輪データ＃１乃至＃４、図２５のローレゾ年輪データ＃１および＃２、図２６のメタ年輪データ＃１および＃２は、図２７に示すように、光ディスク１１に周期的に記録される。
【０２４４】
即ち、上述したように、同じような再生時間帯の音声年輪データ、画像年輪データ、ローレゾ年輪データ、およびメタ年輪データについては、上述したように、音声年輪データ、画像年輪データ、ローレゾ年輪データ、メタ年輪データの順の優先順位で、光ディスク１１のより前の位置に記録される。
【０２４５】
さらに、例えば、最も優先順位が高い音声年輪データを基準に考えると、音声年輪サイズＴsaと同一の画像年輪サイズＴsvの画像年輪データについては、音声年輪データと同一の周期で光ディスク１１に記録される。即ち、ある再生時間帯の音声年輪データが記録されれば、その音声年輪データに続いて、その再生時間帯と同じような再生時間帯の画像年輪データが記録される。
【０２４６】
また、音声年輪サイズＴsaの２倍となっているローレゾ年輪サイズＴslのローレゾ年輪については、音声年輪データの２倍の周期で光ディスク１１に記録される。即ち、ある再生時間帯のローレゾ年輪データについては、その再生時間帯を２分するような２つの再生時間帯の音声年輪データが存在し、その２つの再生時間帯の音声年輪データが記録された後に記録される。
【０２４７】
さらに、音声年輪サイズＴsaの２倍となっているメタ年輪サイズＴsmのメタ年輪については、やはり、音声年輪データの２倍の周期で光ディスク１１に記録される。即ち、ある再生時間帯のメタ年輪データについては、その再生時間帯を２分するような２つの再生時間帯の音声年輪データが存在し、その２つの再生時間帯の音声年輪データが記録された後に記録される。
【０２４８】
以上から、図２３の音声年輪データ＃１乃至＃４、図２４の画像年輪データ＃１乃至＃４、図２５のローレゾ年輪データ＃１および＃２、図２６のメタ年輪データ＃１および＃２は、図２７に示すように、その光ディスク１１の内周側から外周側に向かって、音声年輪データ＃１、画像年輪データ＃１、音声年輪データ＃２、画像年輪データ＃２、ローレゾ年輪データ＃１、メタ年輪データ＃１、音声年輪データ＃３、画像年輪データ＃３、音声年輪データ＃４、画像年輪データ＃４、ローレゾ年輪データ＃２、メタ年輪データ＃２，・・・の順番で記録される。
【０２４９】
なお、図２２乃至図２７の実施の形態では、画像年輪サイズＴsvと音声年輪サイズＴsaと等しくし、ローレゾ年輪サイズＴslおよびメタ年輪サイズＴsmを、音声年輪サイズＴsaの２倍とするようにしたが、音声年輪サイズＴsa、画像年輪サイズＴsv、ローレゾ年輪サイズＴsl、メタ年輪サイズＴsmそれぞれどうしの関係は、これに限定されるものではない。即ち、音声年輪サイズＴsa、画像年輪サイズＴsv、ローレゾ年輪サイズＴsl、メタ年輪サイズＴsmは、例えば、すべて同一の時間とすることもできるし、すべて異なる時間とすることなども可能である。
【０２５０】
また、音声年輪サイズＴsa、画像年輪サイズＴsv、ローレゾ年輪サイズＴsl、およびメタ年輪サイズＴsmは、例えば、光ディスク１１の用途や使用目的にあわせて設定することが可能である。
【０２５１】
即ち、ローレゾ年輪サイズＴslや、メタ年輪サイズＴsmは、例えば、音声年輪サイズＴsaおよび画像年輪サイズＴsvよりも大とすることが可能である。
【０２５２】
ローレゾ年輪サイズＴslを、音声年輪サイズＴsaおよび画像年輪サイズＴsvよりも大とした場合（例えば、音声年輪サイズＴsaおよび画像年輪サイズＴsvが２秒であるのに対して、ローレゾ年輪サイズＴslを１０秒とした場合）には、例えば、ローレゾデータによるシャトル再生速度や、コンピュータなどの外部の装置へのローレゾデータの転送速度を向上させることができる。
【０２５３】
即ち、ローレゾデータは、本線データよりもデータ量が少ないため、光ディスク１１からの読み出しを短時間で行うことができ、さらに、処理負担も少ないので、シャトル再生などの変速再生に利用することができる。そして、ローレゾ年輪サイズＴslを大とする場合には、光ディスク１１からローレゾデータだけを読み出すときに生じるシークの頻度を少なくすることができるから、光ディスク１１からのローレゾデータだけの読み出しを、より短時間で行うことが可能となり、そのローレゾデータを利用したシャトル再生を行うときには、シャトル再生の速度を向上させることができる。さらに、ローレゾデータをコンピュータなどに転送して処理する場合には、その転送速度を向上させる（転送に要する時間を短くする）ことができる。
【０２５４】
また、メタ年輪サイズＴsを、音声年輪サイズＴsaおよび画像年輪サイズＴsvよりも大とした場合（例えば、音声年輪サイズＴsaおよび画像年輪サイズＴsvが２秒であるのに対して、メタ年輪サイズＴsmを２０秒とした場合）には、ローレゾ年輪サイズＴslを大とした場合と同様に、光ディスク１１からメタデータだけを短時間で読み出すことができる。従って、例えば、そのメタデータに含まれるタイムコードなどを用いて、本線データである画像信号の特定のフレームの検索などを、高速で行うことが可能となる。
【０２５５】
従って、ローレゾデータのシャトル再生や外部への転送を高速で行うことが要求される場合には、ローレゾ年輪サイズＴslを大にすることにより、また、フレームの検索の高速性が要求される場合には、メタ年輪サイズＴsを大とすることにより、その要求に応えた利便性の高い光ディスク１１を提供することが可能となる。
【０２５６】
以上のように、ローレゾ年輪サイズＴslや、メタ年輪サイズＴsmを大とすることにより、ローレゾデータやメタデータだけなどの特定のデータ系列の読み出しに要する時間（さらには、書き込みに要する時間も）を短縮することができる。
【０２５７】
従って、音声年輪サイズＴsaや、画像年輪サイズＴsvを大とした場合には、やはり、本線データとしての音声データや画像データだけの読み出し（さらには、書き込み）に要する時間を短縮することができる。その結果、音声データまたは画像データだけを編集する、いわゆるAV(Audio Visual)スプリット編集を行う場合には、その編集処理の高速化を図ることができる。
【０２５８】
但し、画像と音声の再生を行う場合、その再生を開指するには、各再生時刻の画像データと、その画像データに付随する音声データとが揃うまで待つ必要がある。音声年輪サイズＴsaや、画像年輪サイズＴsvを大とすると、その大きな音声年輪サイズＴsaの音声データまたは画像年輪サイズＴsvの画像データのうちの一方を読み出し、さらに、その後に、他方を読み出さなければならず、ある再生時刻の画像データと、その画像データに付随する音声データとが揃うまでの時間が大となって、再生が指令されてから、実際に再生が開始されるまでの遅延時間が大となる。さらに、ある再生時刻の画像データと、その画像データに付随する音声データとを同時に再生するために、大きな音声年輪サイズＴsaの音声データまたは画像年輪サイズＴsvの画像データのうちの先に読み出される方は、少なくとも、後に読み出される方の読み出しが開始されるまで、メモリ１８に記憶しておく必要がある。以上から、音声年輪サイズＴsaや、画像年輪サイズＴsvを大とすると、再生が開始されるまでの遅延時間が大となる他、メモリ１８として、容量の大きなものが必要となる。
【０２５９】
従って、音声年輪サイズＴsaと画像年輪サイズＴsvは、再生が開始されるまでの遅延時間や、メモリ１８の容量として許容される値を考慮して決めるのが望ましい。
【０２６０】
なお、ローレゾデータやメタデータは、音声データや画像データに比較してデータ量が十分小さいので、ローレゾ年輪サイズＴslやメタ年輪サイズＴsmを大としても、音声年輪サイズＴsaや画像年輪サイズＴsvを大とした場合に比較して、メモリ１８に必要とされる容量の増加は、それほど問題とならない。
【０２６１】
次に、図２８は、ディスク記録再生装置１０によって、光ディスク１１に対するデータの読み書きが行われる様子を示している。なお、図２８では、光ディスク１１に対して、音声データ、画像データ、ローレゾデータ、およびローレゾデータの４つのデータ系列の読み書きが行われるものとしてある。
【０２６２】
光ディスク１１にデータが書き込まれる場合には、光ディスク１１に十分な大きさの連続した空き領域が存在し、その空き領域に、欠陥（ディフェクト）がないとすれば、音声データ、画像データ、ローレゾデータ、メタデータのデータ系列それぞれから抽出された音声年輪データ、画像年輪データ、ローレゾ年輪データ、メタ年輪データは、図２８Ａに示すように、光ディスク１１上の空き領域に、いわば一筆書きをするように書き込まれる。なお、音声年輪データ、画像年輪データ、ローレゾ年輪データ、およびメタ年輪データは、いずれも、光ディスク１１１のセクタの整数倍のデータ量を有し、さらに、そのデータの境界と、セクタの境界とが一致するように記録される。
【０２６３】
一方、光ディスク１１から、ある特定のデータ系列を読み出す場合には、図２８Ｂに示すように、そのデータ系列のデータの記録位置にシークし、そのデータを読み出すことが繰り返される。なお、図２８Ｂでは、ローレゾデータだけの読み出しが行われる様子を示してある。
【０２６４】
上述したように、音声年輪データ、画像年輪データ、ローレゾ年輪データ、およびメタ年輪データは、いずれも、光ディスク１１１のセクタの整数倍のデータ量を有し、さらに、そのデータの境界と、セクタの境界とが一致するように記録されているので、音声年輪データ、画像年輪データ、ローレゾ年輪データ、またはメタ年輪データのうちのいずれかの特定のデータだけが必要な場合、他のデータの読み出しを行うことなく、その特定のデータだけを読み出すことができる。
【０２６５】
なお、以上においては、図２９Ａに示すように、光ディスク１１に対して、音声データと画像データの２つのデータ系列を記録する場合と、図２９Ｂに示すように、光ディスク１１に対して、音声データ、画像データ、ローレゾデータ、およびメタデータの４つのデータ系列を記録する場合について説明したが、光ディスク１１には、その他の数のデータ系列を記録することが可能である。即ち、光ディスク１１には、例えば、図２９Ｃに示すように、音声データと画像データとが、例えば１フレーム分ごとに多重化されて１つのデータ系列となっている画像／音声混在データ、ローレゾデータ、およびメタデータの３つのデータ系列を記録するようにすることが可能である。
【０２６６】
また、本実施の形態では、メモリコントローラ１７において、音声年輪サイズＴsaの整数倍の時刻ごとに、セクタなどの物理的単位領域の整数倍のデータ量であって、メモリ１８から読み出すことのできる最大のデータ量の音声データを読み出すことによって、音声年輪データを抽出するようにしたが、即ち、音声年輪サイズＴsaの整数倍の時刻において、メモリ１８に、Ｎセクタより大であるが、Ｎ＋１セクタより小のデータ量の音声データが記憶されている場合に、Ｎセクタのデータ量の音声データを、音声年輪データとして抽出するようにしたが、その他、例えば、音声年輪サイズＴsaの整数倍の時刻となった後、Ｎ＋１セクタ以上のデータ量の音声データがメモリ１８に記憶されるのを待って、Ｎ＋１セクタのデータ量の音声データを読み出すことにより、音声年輪データを抽出するようにすることが可能である。画像年輪データや、ローレゾ年輪データ、メタ年輪データの抽出についても、同様である。即ち、年輪データのデータ量は、物理的単位領域の整数倍のデータ量であって、かつ音声年輪サイズ等として設定された再生時間分の再生に必要なデータ量に近いデータ量であればよい。
【０２６７】
さらに、メタデータについては、そのすべての構成要素を、メタ年輪データに含める他、その一部の構成要素だけをメタ年輪データに含め、他の構成要素は、メタ年輪データとは別に記録するようにすることが可能である。即ち、メタデータについては、例えば、タイムコードなどの、画像信号のフレームなどの検索に用いることのできる構成要素と、その他の構成要素とに分けて、検索に用いることのできる構成要素は、例えば、光ディスク１１の内周側などにまとめて記録し、その他の構成要素は、メタ年輪データに含めて、光ディスク１１に周期的に記録することが可能である。この場合、検索に用いることのできる構成要素が、光ディスク１１にまとめて記録されるので、検索に要する時間を短縮することができる。
【０２６８】
なお、メタデータについては、そのすべての構成要素を、光ディスク１１の内周側などにまとめて記録しても良い。但し、メタデータのすべての構成要素を、光ディスク１１の内周側などにまとめて記録する場合には、その記録が終了するまで、メタデータ以外のデータ系列の記録を待つ必要があるか、あるいは、メタデータ以外のデータ系列の記録が終了するまで、メタデータのすべての構成要素を記憶しておく必要がある。これに対して、メタデータのうちの検索に用いることのできる構成要素だけを、光ディスク１１にまとめて記録する場合には、メタデータのすべての構成要素を、光ディスク１１にまとめて記録する場合に比較して、メタデータ以外のデータ系列の記録を待つ時間を短くし、あるいは、メタデータ以外のデータ系列の記録が終了するまで記憶しておく必要のあるメタデータのデータ量を低減することができる。
【０２６９】
また、本実施の形態では、音声年輪データなどの年輪データのデータ量を、セクタなどの物理的単位領域の整数倍の値とし、さらに、年輪データを、その年輪データの境界と、物理的単位領域の境界とが一致するように、光ディスク１１に記録するようにしたが、年輪データのデータ量は、物理的単位領域の整数倍の値とは異なる値であっても良く、さらに、年輪データは、その年輪データの境界と、物理的単位領域の境界とを一致させずに、光ディスク１１に記録することも可能である。但し、この場合、１つのセクタに、異なるデータ系列のデータが混在することが生じうることになる。
【０２７０】
または本発明は、光ディスク以外のディスク状記録媒体に適用することができる。
【０２７１】
上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述したディスク記録再生装置１０が機能的に実現される。
【０２７２】
図３０は、上述のようなディスク記録再生装置１０として機能するコンピュータ１０１の一実施の形態の構成を示すブロック図である。CPU（Central Processing Unit）１１１にはバス１１５を介して入出力インタフェース１１６が接続されており、CPU１１１は、入出力インタフェース１１６を介して、ユーザから、キーボード、マウスなどよりなる入力部１１８から指令が入力されると、例えば、ROM（Read Only Memory）１１２、ハードディスク１１４、またはドライブ１２０に装着される磁気ディスク１３１、光ディスク１３２、光磁気ディスク１３３、若しくは半導体メモリ１３４などの記録媒体に格納されているプログラムを、RAM（Random Access Memory）１１３にロードして実行する。これにより、上述した各種の処理が行われる。さらに、CPU１１１は、その処理結果を、例えば、入出力インタフェース１１６を介して、LCD（Liquid Crystal Display）などよりなる出力部１１７に必要に応じて出力する。なお、プログラムは、ハードディスク１１４やROM１１２に予め記憶しておき、コンピュータ１０１と一体的にユーザに提供したり、磁気ディスク１３１、光ディスク１３２、光磁気ディスク１３３，半導体メモリ１３４等のパッケージメディアとして提供したり、衛星、ネットワーク等から通信部１１９を介してハードディスク１１４に提供することができる。
【０２７３】
なお、本明細書において、プログラムを記述するステップは、上述したフローチャートに記載された順序に沿って時系列的に行われる処理はもちろん、必ずしも時系列的に処理されなくとも、並列的あるいは個別に実行される処理をも含むものである。
【０２７４】
【発明の効果】
以上の如く、本発明によれば、記録媒体の利便性を向上させることができる。
【図面の簡単な説明】
【図１】従来の記録方法を説明する図である。
【図２】本発明を適用したディスク記録再生装置１０の構成例を示すブロック図である。
【図３】データ変換部１９の構成例を示すブロック図である。
【図４】制御部２０による記録処理を説明するフローチャートである。
【図５】音声データ記録タスクを説明するフローチャートである。
【図６】音声データの通算データ量Ｌａと画像データの通算データ量Ｌｖの変化を表す図である。
【図７】光ディスク１１における音声データおよび画像データの記録状態を表す図である。
【図８】画像データ記録タスクを説明するフローチャートである。
【図９】音声データの通算データ量Ｌａと画像データの通算データ量Ｌｖの変化を表す図である。
【図１０】光ディスク１１における音声データおよび画像データの記録状態を表す図である。
【図１１】シーク動作を示す図である。
【図１２】光ディスク１１における音声データおよび画像データの他の記録状態を表す図である。
【図１３】メモリ１８に対して読み書きされる通算データ量を示す図である。
【図１４】メモリ１８に対して読み書きされる通算データ量を示す図である。
【図１５】メモリ１８に書き込まれる画像データの通算データ量の変化の詳細を示す図である。
【図１６】データ変換部１９の他の構成例を示すブロック図である。
【図１７】制御部２０による記録処理を説明するフローチャートである。
【図１８】音声データ記録タスクを説明するフローチャートである。
【図１９】画像データ記録タスクを説明するフローチャートである。
【図２０】ローレゾデータ記録タスクを説明するフローチャートである。
【図２１】メタデータ記録タスクを説明するフローチャートである。
【図２２】メモリ１８に記憶されるデータの通算データ量を示す図である。
【図２３】メモリ１８に記憶されるデータの通算データ量を示す図である。
【図２４】メモリ１８に記憶されるデータの通算データ量を示す図である。
【図２５】メモリ１８に記憶されるデータの通算データ量を示す図である。
【図２６】メモリ１８に記憶されるデータの通算データ量を示す図である。
【図２７】光ディスク１１におけるデータの記録状態を示す図である。
【図２８】光ディスク１１に対してデータが読み書きされる様子を示す図である。
【図２９】光ディスク１１に記録するデータを説明する図である。
【図３０】パーソナルコンピュータ１０１の構成例を示すブロック図である。
【符号の説明】
１１  光ディスク，  １２  スピンドルモータ，  １３  ピックアップ部，  １４  RFアンプ，  １５  サーボ制御部，  １６  信号処理部，  １７  メモリコントローラ，  １８  メモリ，  １９  データ変換部，  ２０  制御部，  ２１  操作部，  ３１  信号入出力装置，  ４１  デマルチプレクサ，  ４２  データ量検出部，  ４３  画像信号変換部，  ４４  音声信号変換部，  ４５  画像データ変換部，  ４６  音声データ変換部，  ５１  メタデータ処理部，  ５２  ローレゾデータ生成部，  ５３  メタデータ処理部，  ５４  ローレゾデータ処理部
【図１】
0004003125.tif 000002
【図２】
0004003125.tif 000003
【図３】
0004003125.tif 000004
【図４】
0004003125.tif 000005
【図５】
0004003125.tif 000006
【図６】
0004003125.tif 000007
【図７】
0004003125.tif 000008
【図８】
0004003125.tif 000009
【図９】
0004003125.tif 000010
【図１０】
0004003125.tif 000011
【図１１】
0004003125.tif 000012
【図１２】
0004003125.tif 000013
【図１３】
0004003125.tif 000014
【図１４】
0004003125.tif 000015
【図１５】
0004003125.tif 000016
【図１６】
0004003125.tif 000017
【図１７】
0004003125.tif 000018
【図１８】
0004003125.tif 000019
【図１９】
0004003125.tif 000020
【図２０】
0004003125.tif 000021
【図２１】
0004003125.tif 000022
【図２２】
0004003125.tif 000023
【図２３】
0004003125.tif 000024
【図２４】
0004003125.tif 000025
【図２５】
0004003125.tif 000026
【図２６】
0004003125.tif 000027
【図２７】
0004003125.tif 000028
【図２８】
0004003125.tif 000029
【図２９】
0004003125.tif 000030
【図３０】
0004003125.tif 000031